(57)【要約】  口腔衛生剤を受け入れるための口腔洗浄器ハンドル（１００）を説明する。ハンドル（１００）は、卓上口腔洗浄器に接続される場合があり、又は手持ち式口腔洗浄器（１０）の一部分である場合がある。ハンドルは、口腔衛生剤を受け入れるためのチャンバ（１２４）を含み、チャンバ本体は、ハンドルの流路内に位置決めされる。ハンドルの中に流入する流体は、チャンバの中に流れ、流体が薬剤と相互混合することを可能にし、次に、ハンドル（１００）に接続された先端までチャンバから流れる。【選択図】図１Ａ
2020509868.tif 000002
【特許請求の範囲】
【請求項１】
流体入口と流体出口とを含むハウジングと、
前記流体入口と前記流体出口の間で前記ハウジング内に位置決めされたチャンバハウジングであって、口腔衛生剤をそこに受け入れるための薬剤チャンバを定める前記チャンバハウジングと、
前記ハウジングにピボット可能に結合され、閉鎖位置で前記薬剤チャンバを少なくとも部分的に覆い、かつ開放位置で該薬剤チャンバを露出する蓋と、を備えている、
ことを特徴とする口腔洗浄器。
【請求項２】
チャンバ出口と前記ハウジングの前記流体出口との間に位置決めされ、予め決められたサイズよりも大きい粒子が該流体出口を通って進行するのを防止するスクリーンを更に備えている、
請求項１に記載の口腔洗浄器。
【請求項３】
前記蓋に作動可能に結合された先端であって、前記スクリーンが該先端に結合され、該先端及び該スクリーンが該蓋に取り外し可能に結合される前記先端を更に備えている、
請求項２に記載の口腔洗浄器。
【請求項４】
前記先端及び前記スクリーンは、前記開放位置と前記閉鎖位置の間で前記蓋と共に移動する、
請求項３に記載の口腔洗浄器。
【請求項５】
前記ハウジングは、リザーバに流体結合されたハンドルハウジングを備えている、
請求項１ないし４のいずれか１項に記載の口腔洗浄器。
【請求項６】
前記ハウジングに結合され、前記蓋が前記閉鎖位置にある時に、前記蓋を前記ハウジングに選択的に固定するラッチアセンブリを更に備えている、
請求項１ないし５のいずれか１項に記載の口腔洗浄器。
【請求項７】
前記ラッチアセンブリは、
前記ハウジングに結合され、かつ第１の位置と第２の位置の間で移動可能なラッチと、
前記ハウジングに結合されて前記ラッチの一部分に係合し、該ラッチを前記第１の位置に向けて付勢するバネと、を備え、
前記バネ付勢に打ち勝ち、かつ前記第１の位置から前記第２の位置まで移動する、
請求項６に記載の口腔洗浄器。
【請求項８】
前記蓋は、キャッチを更に含み、
前記蓋の前記開放位置では、前記キャッチは、前記ラッチから解除され、
前記蓋の前記閉鎖位置では、前記キャッチは、前記ラッチに係合する、
請求項７に記載の口腔洗浄器。
【請求項９】
前記ハウジングに結合された先端アセンブリを更に含み、
前記先端アセンブリは、
噴射出口を有する噴射先端と、
前記ハウジングの前記流体出口と前記噴射出口の間に位置決めされ、流体を該流体が前記チャンバから前記噴射先端まで進行する時に濾過するフィルタアセンブリと、を備えている、
請求項１から８のいずれか１項に記載の口腔洗浄器。
【請求項１０】
リザーバに流体連通しているポンプと、
前記ポンプに流体連通しているハンドルであって、
薬剤チャンバを定め、チャンバ入口と該薬剤チャンバに流体連通しているチャンバ出口とを有する薬剤ハウジングと、
前記リザーバと前記チャンバ入口の間に位置決めされたチャンババルブと、
前記ハンドルに結合され、前記チャンバを露出する開放位置と該チャンバを少なくとも部分的に覆う閉鎖位置の間で位置決め可能なカバーとを有するハンドルと、
前記ハンドルに取り外し可能に結合され、前記チャンバ出口に流体連通している先端と、を備えている、
こと特徴とする口腔洗浄器デバイス。
【請求項１１】
前記先端は、前記カバーに取り外し可能に結合され、かつ該カバーが前記開放位置と前記閉鎖位置の間で移行する時に該先端が該カバーと共に移動するように、それと共に移動可能である、
請求項１０に記載の口腔洗浄器デバイス。
【請求項１２】
前記先端は、
先端出口と先端入口の間に位置決めされた薬剤スクリーンと、
前記先端に結合されて該先端と前記カバーの間の接続部を密封する先端シールキャップと、を更に備えている、
請求項１０又は１１に記載の口腔洗浄器デバイス。
【請求項１３】
位置合わせインジケータ
【請求項１４】
前記閉鎖位置で前記カバーを前記ハンドルに固定するラッチを更に備えている、
請求項１０ないし１３のいずれか１項に記載の口腔洗浄器デバイス。
【請求項１５】
前記ラッチは、前記閉鎖位置で前記カバー上の対応するキャッチに係合して該カバーを固定する、
請求項１４に記載の口腔洗浄器デバイス。
【請求項１６】
前記ラッチは、前記ハンドルの幅を横切って移動して前記キャッチと係合する及び係合解除する、
請求項１５に記載の口腔洗浄器デバイス。
【請求項１７】
口腔剤タブレットと、
請求項１０ないし１６のいずれか１項に記載の口腔洗浄器デバイスと、を備えている、
ことを特徴とする口腔衛生システム。
【請求項１８】
薬剤チャンバが、チャンバ直径を有し、
前記タブレットは、前記チャンバ直径の８０から９５パーセントの間であるタブレット直径を含む、
請求項１７に記載の口腔衛生システム。
【発明の詳細な説明】
【技術分野】
【０００１】
〔関連出願への相互参照〕
この出願は、本明細書に引用によって両方ともそれらの全体が組み込まれている２０１７年３月１６日出願の「口腔剤との併用のための口腔洗浄器ハンドル（Ｏｒａｌ  Ｉｒｒｉｇａｔｏｒ  Ｈａｎｄｌｅ  ｆｏｒ  Ｕｓｅ  ｗｉｔｈ  Ｏｒａｌ  Ａｇｅｎｔ）」という名称の米国仮特許出願第６２／４７２，４３８号、及び２０１７年６月７日出願の「口腔剤との併用のための口腔洗浄器ハンドル（Ｏｒａｌ  Ｉｒｒｉｇａｔｏｒ  Ｈａｎｄｌｅ  ｆｏｒ  Ｕｓｅ  ｗｉｔｈ  Ｏｒａｌ  Ａｇｅｎｔ）」という名称の米国仮特許出願第６２／５１６，２２７号に対して「３５  Ｕ．Ｓ．Ｃ．§１１９」の優先権を主張するものである。
【０００２】
本発明の開示は、一般的に健康及び個人衛生機器に関し、より具体的には口腔洗浄器に関する。
【背景技術】
【０００３】
口腔洗浄器は、ユーザの口腔の中に加圧流体ストリームを放出することによってユーザの歯及び歯茎を清浄にするのに使用される。流体は、歯及び歯茎に衝撃を与えてデブリを除去する。一部の事例では、ユーザ体験及び清浄体験を強化するために補助剤を流体に添加することが望ましい場合がある。しかし、多くの口腔洗浄器は、補助剤を流体ストリームの中に容易に溶け込ませる機能を含まない。
【０００４】
本明細書に引用するあらゆる参考文献及びそのあらゆる説明又は議論を含む本明細書のこの「背景技術」節に含まれる情報は、単に技術的な参照目的のために含まれており、特許請求の範囲に定めるような本発明の範囲を制約する主題と見なさないものとする。
【先行技術文献】
【特許文献】
【０００５】
【特許文献１】米国特許出願公開第２０１５／０００４５５９号明細書
【特許文献２】米国特許第７，１４７，４６８号明細書
【特許文献３】米国仮特許出願第６２／４５３，９４９号明細書
【発明の概要】
【課題を解決するための手段】
【０００６】
口腔衛生剤との併用のための口腔洗浄器ハンドル及び先端を本明細書に開示する。薬剤は、ハンドルを通って流れる流体が薬剤に衝撃を与え、かつ薬剤の各部分を流体出口に向けて下流に搬送するように、流路に位置決めされたチャンバに受け入れられる。チャンバと流体出口の間に位置決めされたスクリーンは、薬剤のより大きい部分又は断片が出口への経路を閉塞するのを防止するのを助ける。チャンバの上流の出口バルブは、薬剤に接触した流体が流体源に向けて流れるのを防止するのを助ける。一例示的実施形態では、チャンバは、ハンドルに位置決めされ、可動蓋が、チャンバへのアクセスを与える。別の例示的実施形態では、チャンバは、ハンドルに流体結合された先端に位置決めされる。
【０００７】
別の実施形態では、口腔洗浄器を開示する。口腔洗浄器は、流体入口と流体出口とを含むハウジングと、流体入口と流体出口の間でハウジング内に位置決めされたチャンバハウジングとを含み、チャンバハウジングは、口腔衛生剤を受け入れるための薬剤チャンバを定める。口腔洗浄器はまた、ハウジングにピボット可能に結合された蓋を含み、閉鎖位置では、蓋は、薬剤チャンバを少なくとも部分的に覆い、開放位置では、蓋は、薬剤チャンバを露出する。
【０００８】
別の実施形態では、口腔洗浄器デバイスを開示する。口腔洗浄器デバイスは、リザーバと流体連通しているポンプと、ポンプと流体連通しているハンドルと、ハンドルに取り外し可能に結合された先端とを含む。ハンドルはまた、薬剤チャンバを定めて薬剤チャンバと流体連通しているチャンバ入口とチャンバ出口とを含む薬剤ハウジングと、リザーバとチャンバ入口の間に位置決めされたチャンババルブと、ハンドルに結合されてチャンバを露出する開放位置とチャンバを少なくとも部分的に覆う閉鎖位置の間で位置決め可能なカバーとを含む。先端は、ハンドルに結合された時に、チャンバを出る流体が先端の中に流れることになるようにチャンバ出口と流体連通している。
【０００９】
更に別の実施形態では、口腔洗浄器デバイスと口腔剤タブレットとを含む口腔衛生システムを開示する。この実施形態では、薬剤チャンバは、２０〜３０％だけ大きいようなタブレット直径よりも大きい場合があるチャンバ直径を有する。例えば、一実施形態では、タブレット直径は、チャンバ直径の長さの８０から９５％の間である。
【００１０】
この「発明の概要」は、「発明を実施するための形態」に以下で更に説明する概念のうちの選択物を簡略形式で紹介するために与えものである。この「発明の概要」は、主張する主題の重要な特徴又は不可欠な特徴を識別するように意図しておらず、主張する主題の範囲を限定するのに使用されるようにも意図していない。特許請求の範囲に定めるような本発明の特徴、詳細、有用性、及び利点のより広範な提示は、本発明の様々な実施形態の以下の文書説明に与えられ、かつ添付図面に例示されている。
【図面の簡単な説明】
【００１１】
【図１Ａ】一体的口腔剤区画を有する口腔洗浄器の前面等角投影図である。
【図１Ｂ】図１Ａの口腔洗浄器のハンドルの前面右側等角投影図である。
【図２Ａ】図１Ｂのハンドルの前部立面図である。
【図２Ｂ】図１Ｂのハンドルの右側立面図である。
【図３】図１Ｂのハンドルの分解組立図である。
【図４Ａ】図２Ｂの線４−４に沿った図１Ｂのハンドルの断面図である。
【図４Ｂ】図４Ａのハンドルの部分断面図である。
【図４Ｃ】図４Ａのハンドルの部分断面図である。
【図５Ａ】一時停止アセンブリが作動状態にある場合の図２Ａの線４−４に沿った図１Ｂのハンドルの断面図である。
【図５Ｂ】一時停止アセンブリが作動状態にある場合の別の実施形態によるハンドルの断面図である。
【図５Ｃ】一時停止アセンブリが停止状態にある場合の図５Ｂのハンドルの断面図である。
【図６Ａ】図１Ｂのハンドルの第１のシェルの後面等角投影図である。
【図６Ｂ】図１Ｂのハンドルの第２のシェルの前面右側等角投影図である。
【図７Ａ】口腔洗浄器ハンドルとの併用のための先端の前面等角投影図である。
【図７Ｂ】図７Ａの先端の分解組立図である。
【図７Ｃ】図７Ａの先端の拡大断面図である。
【図８Ａ】図１Ｂのハンドルのカバーアセンブリの右側立面図である。
【図８Ｂ】先端が挿入された図８Ａのカバーアセンブリの平面図である。
【図９】図８Ａのカバーアセンブリの蓋の底面等角投影図である。
【図１０】図８Ａのカバーアセンブリの選出構成要素の前面右側等角投影図である。
【図１１】図８Ａのカバーアセンブリの選択物の後面右側分解組立図である。
【図１２】先端がハンドルに接続されて口腔剤タブレットがチャンバ内に位置決めされた図５Ａのハンドルの蓋及びチャンバ本体の部分拡大断面図である。
【図１３Ａ】図１Ｂのハンドルのチャンバ本体の前部立面図である。
【図１３Ｂ】チャンバ本体の上面等角投影図である。
【図１３Ｃ】チャンバ本体の底面等角投影図である。
【図１４Ａ】図１Ｂのハンドルの一時停止バルブアセンブリの右側等角投影図である。
【図１４Ｂ】図１４Ａの一時停止バルブアセンブリの後面等角投影図である。
【図１５】図１４Ａの一時停止バルブアセンブリの選出構成要素の右側後面等角投影図である。
【図１６Ａ】図１４Ａの一時停止バルブアセンブリの上側バルブ本体の前面等角投影図である。
【図１６Ｂ】図１６Ａの上側バルブ本体の底面等角投影図である。
【図１６Ｃ】別の実施形態による上側バルブ本体の前面等角投影図である。
【図１７Ａ】図１４Ａの一時停止バルブアセンブリの下側バルブ本体の前部上面等角投影図である。
【図１７Ｂ】図１７Ａの下側バルブ本体の前部底面等角投影図である。
【図１８】図１４Ａの一時停止バルブアセンブリのシャトル保持器の上面等角投影図である。
【図１９】図１４Ａの一時停止バルブアセンブリのシャトルバルブの前面等角投影図である。
【図２０】図１４Ａの一時停止バルブアセンブリのポペットアセンブリの前部上面等角投影図である。
【図２１】図１４Ａの一時停止バルブアセンブリの保持リングの前部上面等角投影図である。
【図２２】図１Ｂのハンドルのバルブ台座の前面等角投影図である。
【図２３Ａ】図５Ｂのハンドルの一体的バルブ台座の前部上面等角投影図である。
【図２３Ｂ】図２３Ａの一体的バルブ台座の前部底面等角投影図である。
【図２４Ａ】蓋が開放位置にある図１Ｂのハンドルの前面右側等角投影図である。
【図２４Ｂ】図２４Ａのハンドルの上部平面図である。
【図２５Ａ】一体的口腔衛生剤チャンバを有する先端の等角投影図である。
【図２５Ｂ】図２５Ａの先端の分解組立図である。
【図２５Ｃ】図２５Ａの先端の断面図である。
【図２６Ａ】口腔洗浄器ハンドルの別の実施形態の前部立面図である。
【図２６Ｂ】図２６Ａの口腔洗浄器ハンドルの側面図である。
【図２６Ｃ】図２６Ａの口腔洗浄器のハウジング構成要素の後部立面図である。
【図２７】図２６Ａの線２７−２７に沿って取った図２６Ａの口腔洗浄器ハンドルの断面図である。
【図２８】図２６Ａの洗浄器ハンドルのためのラッチアセンブリの分解組立図である。
【図２９Ａ】図２８のカバーアセンブリのためのラッチの上部平面図である。
【図２９Ｂ】図２９Ａのラッチの底部平面図である。
【図３０】図２６Ａの口腔洗浄器のためのキャップの側面等角投影図である。
【図３１】図３０の線３１−３１に沿って取った図３０のキャップの断面図である。
【図３２】図２７の断面の拡大図である。
【図３３】図２６Ａの口腔洗浄器のためのシール保持器の等角投影図である。
【発明を実施するための形態】
【００１２】
一般的に、この出願は、タブレット、ピル、パウダー、ジェル、又はスラリなどのような薬剤を受け入れ、それをユーザの口腔の中に分配することができる口腔洗浄器のハンドル及びシステムに関する。薬剤は、口腔衛生剤又は流体の中に導入することができ、流体と共に進行することができる他のタイプの添加剤とすることができる。一実施形態では、流体は、リザーバ又は台座に接続されたホースからハンドルの中に流れ、更にハンドルハウジング又は先端内のチャンバの中に流れ、先端出口から流れ出る。別の実施形態では、ハンドルは、リザーバに直接に接続され、手持ち式口腔洗浄器を形成する。いずれの実施形態でも、薬剤は、チャンバ内に挿入され、チャンバの中に流れる流体は、これらの薬剤、その粒子を移動するか、又は他に薬剤と混合し合って薬剤の少なくとも一部分を先端を通してユーザの口腔の中に流体自体と共に搬送するように作用する。一部の実施形態では、薬剤は、流体によって摩耗されて流体内でユーザの歯茎及び歯に向けて進行する粒子を解き放つタブレットである。これらの実施形態では、粒子は、ユーザの歯及び／又は歯茎の面に対する研磨剤又は清浄剤として機能する。
【００１３】
薬剤チャンバは、使用される薬剤及び／又は先端のタイプに依存してリザーバと先端出口の間の様々な場所に位置決めすることができる。一部の実施形態では、薬剤チャンバは、ハンドル内に、例えば、先端挿入場所に隣接するハンドルの上端に向うように位置決めされる。薬剤チャンバは、ユーザが薬剤をチャンバ内に位置決めし、使用中に薬剤をチャンバ内に固定することを可能にするためにチャンバに選択的にアクセスするのに使用される蓋又は他の構成要素を含むことができる。蓋は、流体及び／又は薬剤がチャンバへの開口部の周りで漏出しないことを保証するための１又は２以上の密封要素を含むことができる。一部の実施形態では、蓋は、閉鎖位置で蓋をチャンバに固定し、チャンバへの開口部の周りを密封する際に支援するラッチを含むことができる。ラッチは、ユーザが口腔剤をチャンバ内に入れることを可能にするためにユーザが作動させることができる。一部の実施形態では、ハンドル内の薬剤ハウジング及びハンドルに対する蓋、並びに蓋に接続された先端アセンブリによって封入チャンバを定めることができる。このようにして、チャンバは、ユーザが薬剤を挿入することを可能にするために蓋を開けることによって開くことになる。
【００１４】
他の実施形態では、薬剤チャンバは、先端自体の中に一体化され、ハンドルから取り外し可能にすることができる。これらの実施形態では、薬剤チャンバは、先端の底端（ハンドル内に挿入することができる）とユーザの口腔内への出口を与える先端の上端との間に位置決めされる。
【００１５】
薬剤チャンバの出口の上にスクリーン又はフィルタを位置決めすることができる。スクリーンは、予め決められた閾値サイズよりも大きい粒子がチャンバから先端に通らないことを保証することによって先端が塞がれるのを防止するのを助ける。例えば、口腔剤がタブレットである実施形態では、スクリーンは、タブレットから離脱した大きい粒子が通過することを防止するようにサイズ決定することができる。同様に、様々な構成要素に対して損傷をもたらす可能性があるハンドル又はポンプなどの中への薬剤粒子の逆進を防止するためにチャンバの入口とホースの間にチェックバルブを位置決めすることができる。
【００１６】
口腔洗浄器は、先端への流体ストリームを一時停止するための一時停止バルブを含むことができる。一部の実施形態では、一時停止バルブは、ハンドル内で薬剤チャンバの出口バルブとハンドルへのホース入口の間に位置決めすることができる。一時停止バルブは、先端を通って流れる流体を選択的に停止し、ユーザが口腔洗浄器の電源を落とす必要なくハンドルを自分の口内で再位置決めすることを可能にするのに使用される。
【００１７】
多くの事例では、コストを低減し、製造可能性を高め、腐食を低減し、美的訴求力を維持するために、口腔洗浄器ハンドルの構成要素のうちの多くは、プラスチックから製造することができる。しかし、他の実施形態では、これらの構成要素は、他の材料から構成することができる。
【００１８】
口腔洗浄器の構成要素
ここで、図を参照して、口腔衛生剤のためのチャンバを含む口腔洗浄器をより詳細に議論する。図１Ａは、薬剤チャンバを有するハンドルを含む口腔洗浄器の等角投影図を示している。図１Ｂは、図１Ａのハンドルの等角投影図である。一部の実施形態では、チャンバは、リザーバの上流と先端出口の下流とに位置決めすることができることに注意しなければならない。
【００１９】
図１Ａ及び図１Ｂを参照すると、口腔洗浄器１０は、全てを互いに接続することができるハンドル１００と、リザーバ１２と、台座１４と、ホース１０８とを含むことができる。台座１４は、リザーバ１２に流体接続されてリザーバ１２から先端１０４に流体をポンピングするポンプ１６を含むことができる。台座には、１又は２以上の制御器１８ａ、１８ｂが結合され、これらの制御器は、ポンプ１６によって生成される流量又は流体圧力を変更するように構成され、及び／又はポンプ１６によって生成される特定のモード、例えば、清浄モードを作動させることができる。台座１４及びポンプ１６は、その全体が引用によって本明細書に組み込まれている２０１４年３月１３日出願の「一体化蓋及び台座を有する口腔洗浄器（Ｏｒａｌ  Ｉｒｒｉｇａｔｏｒ  ｗｉｔｈ  Ｉｎｔｅｇｒａｔｅｄ  Ｌｉｄ  ａｎｄ  Ｂａｓｅ）」という名称の米国特許出願公開第２０１５／０００４５５９号明細書に示されている台座及びポンプに類似とすることができる。他の実施形態では、ハンドルは、ポンプ及び他の構成要素を封入し、かつリザーバに直接に接続することができ、これらの実施形態では、ハンドルは、デバイスのための主ハウジングを形成することができる。手持ち式バージョンでのリザーバ及びポンプは、その全体が引用によって本明細書に組み込まれている２００６年１２月１２日に付与された「手持ち式口腔洗浄器（Ｈａｎｄ  Ｈｅｌｄ  Ｏｒａｌ  Ｉｒｒｉｇａｔｏｒ）」という名称の米国特許第７，１４７，４６８号明細書に示されているものに類似とすることができる。
【００２０】
ハンドル
ハンドル１００は、ポンプ１６及びリザーバ１２に流体接続され、流体をユーザの口の中に誘導するためにユーザが保持することができる。図１Ｂ〜図３を参照すると、一般的に、ハンドル１００は、ハウジング１０２と、先端１０４と、カバーアセンブリ１２２と、薬剤アセンブリ１２３と、一時停止バルブアセンブリ１４２と、旋回アセンブリ１４３と、流体コネクタ１０９とを含むことができ、これらの各々を下記で順に議論する。
【００２１】
ホース１０８及び流体接続具１０７のような流体コネクタ１０９は、ハンドル１００をリザーバ１２に流体接続する。しかし、洗浄器が手持ち式ユニットである事例では、流体接続具１０７及び／又はホース１０８は、省略することができ、又はリザーバ１２をハンドルに直接に接続することができるように変更することができる。
【００２２】
先端１０４は、ハンドル１００の上端に接続され、ハンドル１００から取り外し可能なもの又はそれと一体化されたものとすることができる。先端１０４は、ユーザの口の中に挿入され、流体、並びに薬剤をユーザの歯、歯茎、舌等に対して放出するように構成される。例えば、先端１０４は、液体噴流を放出するためにノズル形出口１０５を端部に含むことができる。先端出口１０５は、望ましい流体ストリーム、並びに口腔洗浄器ユニット１０と併用することができる薬剤のタイプに依存して形状を変更することができることに注意しなければならない（例えば、薬剤が固体粒子を含む事例では、薬剤が液体又はジェルである事例と比較して出口１０５のサイズを拡大することができる）。先端に対しては下記で図７Ａ〜図７Ｃを参照してより詳細に議論する。
【００２３】
図２Ａ〜図６Ｂを参照して、ここでハンドルハウジング１０２をより詳細に議論する。ハンドルハウジング１０２は、一体的構成要素とすることができ、又は図２Ａ〜図６Ａに示すように互いに結合された（例えば、超音波溶接、ファスナ、又は接着剤などにより）第１のシェル１１４と第２のシェル１１６とを含むことができる。第１及び第２のシェル１１４、１１６の各々は、変形に抵抗する硬質プラスチックのような剛性材料で構成することができるが、様々な他の材料も使用することができることに注意しなければならない。更に、ハンドルハウジング１０２は、ユーザの手に適合することができる美的に心地よい形状を含むことができ、更に１又は２以上の把持要素を含むことができる。
【００２４】
図６Ａ及び図６Ｂを参照すると、第１及び第２のシェル１１４、１１６は、互いに接続された時に、カバーアセンブリ１２２、一時停止バルブアセンブリ１４２、旋回アセンブリ１４３、及びホース１０８の一部分のようなハンドル１００の構成要素がそこに存在するハンドルキャビティ１７２を定める。この目的に対して、第１及び第２のシェル１１４、１１６の各々は、ハンドル１００の構成要素をハンドルキャビティ１７２内で位置合わせする、受け入れる、保持する、及び／又は支持するための複数の構造特徴部を含むことができる。これらの特徴部は、レッジ１５０ａ、１５０ｂと、垂直支持壁１４８ａ、１４８ｂと、ペグ１６９とを含むことができる。レッジ１５０ａ、１５０ｂは、ハンドルキャビティ１７２内に延びるように第１又は第２のシェル１１４、１１６の内壁１７４ａ、１７４ｂからほぼ外向きに延びることができる。各シェル１１４、１１６内のレッジ１５０ａ、１５０ｂの対は、ハンドル１００が組み立てられた時に互いに位置合わせされて構造特徴部を定めるように構成される。例えば、ハンドル１００が組み立てられた時に、第１のシェル１１４のレッジ１５０ａは、第２のシェル１１６の嵌合レッジ１５０ｂに位置合わせすることができる。
【００２５】
引き続き図６Ａ及び図６Ｂを参照すると、シェル１１４、１１６の一方（例えば、描写実施形態では第２のシェル１１６）の内壁１７４から１又は２以上のペグ１６９が延びることができる。各ペグ１６９は、第１のシェル１１４の周縁によって定められた平面を超えて延び、対応するボスに嵌合して対向シェル１１４、１１６の開口１７０を定めるように適応させることができる。ペグ１６９及び開口１７０は、各ペグ１６９がその対応する孔１７０内にピッタリと適合するように寸法決定することができる。この嵌合からもたらされる摩擦は、シェル１１４、１１６の分離に抵抗し、更に、製造中のシェル１１４、１１６の位置合わせを支援することができる。これに加えて及び／又はこれに加えて、第１及び第２のシェル１１４、１１６は、接着剤、エポキシ、ファスナ、超音波溶接、２つの品目を接合するためのいずれかの他の公知の方法を用いて、又は公知の方法の組合せによって接合することができる。
【００２６】
図６Ａを参照すると、第１のシェル１１４は、ハンドルのボタン及びラッチのための様々な開口及び／又は凹部を含むことができる。例えば、第１のシェル１１４は、ラッチボタン１１０を受け入れるためのボタン開口１５２を含むことができる。図６Ａに示すように、ボタン開口１５２は卵形のものであるが、ラッチボタン１１０の形状に対応するように構成されたあらゆる形状とすることができる。ハンドル１００が組み立てられた状態で、ラッチボタン１１０はボタン開口１５２内に受け入れられる。再び図２Ａ及び図６Ａを参照すると、第１のシェル１１４は、一時停止アクチュエータ１１２を受け入れるための一時停止アクチュエータ開口２０４と一時停止アクチュエータフレーム３９０とを更に含むことができる。一時停止アクチュエータ開口２０４及びアクチュエータフレーム３９０は、一時停止アクチュエータ１１２の形状にほぼ対応し、一部の実施形態ではハンドルの長手軸に沿って細長く、上側部分３９２と下側部分３９４とを有する長円形又は卵形とすることができる。図６Ａ、図２４Ａ、及び図２４Ｂを参照すると、第１のシェル１１４内にラッチキャッチ２１２を受け入れるためのキャッチ開口１５４を定めることができ、一部の実施形態では、キャッチ開口１５４は、ボタン開口１５２の直上に位置決めすることができ、又は更にボタン開口内に形成することができ（図２６Ｃを参照されたい）、両方は、ハンドルシェル１１４の上端に向けて位置決めすることができる。ラッチ、ボタン、及びキャッチ開口の位置決めは、必要に応じてかつラッチアセンブリ及び一時停止アセンブリに対応するように変更することができる。
【００２７】
図６Ａ及び図６Ｂを参照すると、第１及び第２のシェル１１４、１１６の各々の上面２０７は、蓋１１８、トリムリング４７４、又はバネ４９２のような薬剤アセンブリ１２３及び／又はカバーアセンブリ１２２の様々な構成要素を受け入れてそれらと嵌合する１又は２以上のレッジ又はステップ２０５ａ、２０５ｂ、２０５ｃ、２０５ｄ、２０５ｅを含むことができる。ステップ２０５ａ、２０５ｂ、２０５ｃ、２０５ｄ、２０５ｅは、様々な構成要素に対して構造的支持を与え、かつ望むように成形及び寸法決定することができる。
【００２８】
図６Ｂを参照すると、第２のシェル１１６は、第１のシェル１１４とほぼ実質的に類似であるが、カバーアセンブリが接続してそれに対して回転することを可能にするポスト又はナックル２０６のような１又は２以上のヒンジ特徴部を含むことができる。他の実施形態では、これらのナックル２０６は、第２のシェル１１６の上面２０７から上向き及び後ろ向きに延び、互いに横方向に離間する。ナックル２０６は、そこを通る上面２０７の平面に対してほぼ平行に向けられたピン開口２０８を定めることができる。下記でより詳細に議論するように、ナックル２０６は、蓋１１８を第２のシェル１１６に接続するのに使用されるヒンジアセンブリ４８５と接続する。ナックル２０６は、シェルと一体的に形成するか又は別々の構成要素として形成してシェルに接続することができる。
【００２９】
再び図４〜図６Ｂを参照すると、第１及び第２のシェル１１４、１１６の各々は、半円形とするか又は他にホース１０８の外形に対して設定するように構成することができるホース切り欠き１４４ａ、１４４ｂにおいて終端することができる。第１及び第２のシェル１１４、１１６が組み立てられてハウジング１０２を形成すると、切り欠き１４４ａ、１４４ｂは、ホース１０８が通過するホース開口１４６を互いに定める。
【００３０】
蓋及びカバーアセンブリ
図８Ａ及び図８Ｂを参照して、キャップ、蓋、又はカバーアセンブリ１２２をここでより詳細に議論する。カバーアセンブリ１２２は、薬剤アセンブリ１２３の少なくとも一部分へのアクセスを与え、先端１０４をハンドル１００に固定することができる。カバーアセンブリ１２２は、蓋１１８又はカバーと、アクセスボタン又はラッチボタン１１０と、ラッチキャッチ２１２と、ラッチ１８０と、ラッチバネ４５０と、ヒンジアセンブリ４８５とを含むことができ、これらの各々に対しては下記で議論する。
【００３１】
図８Ａ及び図９を参照すると、蓋１１８は、薬剤アセンブリ１２３を覆い、閉じている時にはこのアセンブリを密封し、開いている時にはアクセスを与えるのを助ける。蓋１１８は、クラウン４７０と任意的なトリムリング４７４との間に位置決めされた本体４７２を含むことができる。クラウン４７０は、蓋１１８の上側部分を形成し、ユーザが蓋１１８を開け閉めするためにそれをより容易に把持するのを助ける任意的なリブ又はバンプなどをその上面４７１上に含むことができる把持部分４９４を有することができる。把持部分４９４は、ユーザが蓋を位置付け、並びに蓋を押下する際に支援するための凹部又は陥凹として蓋１１８の上部前面上に形成することができる。これに代えて又はこれに加えて、把持部分４９４は、ユーザが蓋１１８を把持することを更に支援するためのゴム引き材料又は他の摩擦増大材料を含むことができる。
【００３２】
先端受け入れ開口２１０は、クラウン４７０の上部面を通して定められ、かつクラウン４７０及び本体４７２を通して形成された先端キャビティ２１１へのアクセスを与える。先端受け入れ開口２１０は、その中を通して先端を受け入れるようにサイズ決定することができる。
【００３３】
図９を参照すると、蓋本体４７２の内部面は、外側リム４９５と内側リム４９６とを含むことができる。各リム４９５、４９６は、上面４７１から又はその近くからトリムリング４７４に向けて下向きに延びることができる。外側リム４９５と内側リム４９６は、１又は２以上のブリッジ４９３又は補強リブにおいて接合することができる。チャンバ及び／又は密封部材のような薬剤アセンブリ１２３の様々な部分に適合するように様々なリムを使用することができる。リムは、蓋１１８に対して構造的支持を与え、更に、薬剤アセンブリ１２３の様々な部分に嵌合してそれらを密封する際に支援するように作用する。
【００３４】
蓋本体４７２の内部面はまた、上面４７１の近くにかつ内側リム４９６に対して内部に環状レッジ４９８を定めることができる。先端位置合わせノッチ４９７をレッジ４９８内に定めることができ、かつ把持部分４９４のほぼ下に位置決めすることができる。
【００３５】
クラスプハウジング４８０が、ブリッジ４９３から下向きにトリムリング４７４を通り越して延びることができる。クラスプハウジング４８０は、ラッチキャッチ２１２を蓋に固定し、下記でより詳細に議論するようにキャッチ２１２が蓋を通って移動することを可能にするようにキャッチ２１２の一部分を受け入れる。一部の実施形態では、クラスプハウジング４８０は、ノッチ４９７及び把持部分４９４と同じ蓋１１８の側に位置決めされる。クラスプハウジング４８０内にはクラスプスロット４８４を定めることができ、ラッチキャッチ２１２に対応するように成形及びサイズ決定することができる。
【００３６】
蓋１１９の後部側壁からヒンジ本体４８６が延び、それを把持部分４９４とほぼ反対に位置決めすることができる。下記で議論するように、ヒンジ本体４８６は、蓋１１８を第２のシェル１１６に接続するためにナックル２０６と接続する。ヒンジ本体４８６は、それを通して定められたピン４９０を受け入れるためのチャネル４８８又はピン開口を有することができる。一部の実施形態では、ヒンジ本体４８６及びブリッジ４９３内にバネ凹部４９１を定め、ヒンジアセンブリの１又は２以上の部分を受け入れるように構成することができる（例えば、図８Ａを参照されたい）。
【００３７】
トリムリング４７４は、ハンドル１００の美的外観を強化し、様々なユーザ（例えば、様々な皮膚色を有する）に対応するために使用することができる。トリムリング４７４は、外側リム４９５に隣接するように位置決めすることができ、外側リム４９５から孔４７９を通ってトリムリング４７４の底面４７６まで延びるペグ４７８によって本体４７２に固定することができる。一部の実施形態では、トリムリング４７４を省略することができる。
【００３８】
ヒンジアセンブリ４８５は、ハンドルハウジング１０２を蓋１１８に結合し、蓋１１８がハウジング１０２に対して回転することを可能にする。ヒンジアセンブリ４８５は、捩りバネ又は板バネなどのような付勢要素４９２と、ピン４９０又は他の固定要素とを含むことができる。
【００３９】
図８Ａ、図１０、及び図１１を参照すると、ラッチボタン１１０は、薬剤チャンバ１２４及び／又はハンドルのカバー１１８を開け閉めするためにカバーアセンブリ１２２を作動させる。ラッチボタン１１０は、ユーザの指によって作動させるように成形及びサイズ決定することができ、凸面湾曲外面１５８と２つのアーム１６０又は突起がそこから延びる対向内部面１６６とを有するほぼ卵形の本体１５６を含むことができる。アーム１６０は、鈍角を有する面とすることができ、各アーム１６０は、ラッチボタン１１０の本体１５６の外面１５８の湾曲を近似して傾斜又は湾曲した終端部１６２で終端することができる。本体１５６及びアーム１６０の内部面１６６内にボタン１１０の幅に沿って延びる板スロット１６４が定められる。
【００４０】
図８Ａ、図８Ｂ、図１０、及び図１２を参照すると、ラッチキャッチ２１２は、ハンドル１１０、例えば、ハンドルハウジングに係合して蓋１１８をハウジング１０２に固定する。ラッチキャッチ２１２は、垂直に細長とすることができるキャッチ本体２１６と、本体２１６の上端からほぼ直角に延びることができる固定シェルフ２１４と、本体２１６の反対端又は下端に位置決めされたフック又はキャッチ座部とを含むことができる。フック２１８は１８０°湾曲し、端部２１９において終端する。フック２１８又は係合特徴部の上部端面２１９は、ハウジング又はラッチ上の関連要素に係合し、そこから選択的に解除するように成形することができる。同様に、フック２１８の底面は、固定要素又はラッチに容易に係合し、かつそこから解除されるように形成することができる（例えば、図３０を参照されたい）。
【００４１】
キャッチ本体２１６にウェル２２０又は陥凹を形成することができ、ウェル２２０は、固定シェルフ２１４とフック２１８の間の距離の大部分にわたって延びることができる。一部の実施形態では、ウェル２２０は、実質的に卵形であり、キャッチ本体２１６のかなりの長さにわたって延びることができる。ウェル２２０は、キャッチに必要とされる材料の量を低減し、従って、製造コストを節約するのを助けることができる。一般的に、ラッチキャッチ２１２は、高い応力及び度重なる使用に耐えるように構成することができ、従って、金属又は合金などのような高い強度の材料で形成することができる。ラッチキャッチ２１２は、金属の射出成形、フライス加工、プレス加工、又は他の適切な製造工程によって形成することができる。
【００４２】
図８Ａ、図１０、及び図１１を参照すると、ラッチ１８０は、ハウジング１０２に接続され、ラッチキャッチ２１２に係合して蓋１１８をハウジング１０２に解除可能に固定する。一部の実施形態では、ラッチ１８０は、ネック１９６によって接合されたショルダ１９０から互いに対してほぼ平行に延びる２つのアーム１８６を有するＵ字形状を有するほぼ平面の要素とすることができる。ラッチ１８０の内壁１８８は、アーム１８６の各々の内壁を形成し、凹面湾曲壁を定めることができる。アーム１８６の間の幅は、ハンドル１００が組み立てられた時にチャンバ１２４を含むほど十分なものとすることができる。
【００４３】
ラッチ１８０は、ネック１９６及びショルダ１９２から延びるカプリングヘッド１７５を含むことができる。カプリングヘッド１７５又は固定突起は、ラッチボタン１１０に係合し、ボタン１１０の移動がラッチ１８０を相応に移動するようにボタン１１０とラッチ１８０とを互いに結合する。カプリングヘッド１７５は、ボタン１１０に固定されるように必要に応じて変更することができる。一部の実施形態では、ヘッドの各横方向端部１７８にタブクリップ１７６を位置決めすることができる。一部の実施形態では、タブクリップ１７６は、アーム１８６の平面の下で下向きに傾斜させることができ、ボタン１１０をカプリングヘッド１７５内に挿入してそこに固定することを可能にするために屈曲させることができる。
【００４４】
例えば、各ショルダ１９０の内壁１９４と、ネック１９６の内壁１９８と、カプリングヘッド１７５の内壁１７７とにより、ラッチ１８０の上部面を通してクラスプ開口１９９が定められる。ラッチ１８０の上部面からクラスプ面２００が傾斜し、この面の端部２０２がアーム１８６の平面の下に位置決めされるようにネック１９６の内壁１９８から下向きに延びる。クラスプタブ又はクラスプ面２００は、ラッチキャッチ２１２のフック２１８の端部２１９に係合するように成形及び位置決めすることができる。言い換えれば、クラスプ面２００は、蓋のクラスプに係合する固定特徴部として形成することができる。クラスプ面２００の角度は、フック２１８が容易に係合及び解除することを可能にしながらフック２１８を保持するように選択することができる。
【００４５】
ラッチ１８０は、ネック１９６においてカプリングヘッド１７５と各ショルダ１９０の間に位置決めされた１又は２以上のステップ１７９を更に含むことができ、各ショルダ１９０の上部壁１９２は、各ステップ１７９から各アーム１８６まで湾曲することができる。ステップ１７９は、ボタン１１０が、作動された時に単にラッチ１８０に対して摺動するのではなく、ラッチ１８０を実際に平行移動することになることを保証するように、ボタン１１０に対するストップ又はキャッチとして機能する。端部壁１９２の形状は、ラッチボタン１１０のアーム１６０の終端１６２の形状を相補することができる。
【００４６】
各ラッチアーム１８６は、互いに類似の方向に延びることができ、アーム１８６の平面に対して実質的に直角なものとすることができる係合面１８４を定めるように移行するアクチュエータ面１８２で終端することができる。ラッチアーム１８５は、それが滑らかにチャンバに対して水平に移動することを可能にするように、チャンバの形状に対応する曲率を有して湾曲することができる。一例では、アクチュエータ１８２は、それがラッチアーム１８６に対して直角な係合面１８４を定めるように移行する時に湾曲する面を含むことができる。各脚１８２の係合面１８４は、下記で議論するようにラッチバネ４５０に力を伝達する。
【００４７】
一部の実施形態では、ラッチ１８０は、高い強度及び耐久性に向けて金属又は合金材料とすることができる。これらの実施形態では、ラッチは、金属射出成形によって製造することができるが、プレス加工又はフライス加工によって製造することもできる。
【００４８】
図８Ａ、図８Ｂ、図１０、及び図１１を参照すると、ラッチイジェクト又はラッチバネ４５０が、ラッチ１８０がラッチキャッチ２１２に係合する係合位置にラッチ１８０を維持するか又はそこに戻す。ラッチバネ４５０は、力の印加時に変形し、力が除去された時に元の形状にはね返るほぼ可撓性の構成要素とすることができる。一部の実施形態では、ラッチバネ４５０は、ほぼ湾曲した本体を有することができ、後面から外向きに延びるスパイン４５２又は固定突起を有することができる。スパイン４５２は、ラッチバネ４５０の全高に沿って延び、ハウジング１０２にバネ４５０を固定することができる。ラッチバネ４５０の２つの終端部４６２は、バネ４５０の高さに沿って延びることができる係合突起４６４を含む。
【００４９】
薬剤アセンブリ
ハンドル１００は、流体と共に分配するための１又は２以上の口腔剤を受け入れて保存する薬剤アセンブリ１２３を含む。薬剤アセンブリ１２３は、１又は２以上のチャンバ又はキャビティ、並びに薬剤の分配を調整する任意的な濾過特徴部を含むことができる。図３及び図１２〜図１３Ｃを参照して、薬剤アセンブリ１２３をより詳細にここで以下に議論する。薬剤アセンブリ１２３は、ユーザの口腔に送出される１又は２以上の口腔剤を受け入れて含有し、薬剤チャンバ１２４と、１又は２以上のフィルタ５３０と、チャンババルブ５００とを含むことができ、これらの各々に対しては下記で順に議論する。
【００５０】
図１３Ａ〜図１３Ｃを参照すると、チャンバ１２４は、口腔衛生剤を受け入れてそれを流体ストリームの中に導入するための薬剤区画又はキャビティを定める。チャンバ１２４は、ほぼ円筒形に成形され、かつハンドルシェル１１４、１１６及び／又は一時停止アセンブリに対応するように各々成形することができるリム２２８と、チャンバ本体２３０と、接続台座２３８とを含むことができる。更に、チャンバ１２４は、ハンドル１００による送出のための望ましい口腔剤に基づいて成形され、一部の事例では丸形タブレットを受け入れるように構成することができる。
【００５１】
リム２２８は、チャンバ１２４の上面２２４を定め、リム２２８の上面２２４とシェルフ２４６の間に位置決めされた勾配部分２２１を有する傾斜内部壁２２２を定めることができる。勾配部分２２１は、薬剤アセンブリ１２３内への先端アセンブリの挿入を支援することができる。シェルフ２４６は、チャンバ本体２３０の内部上でリム２２８と本体２３０の上側部分２３２の間のインタフェースの近くに形成することができる。
【００５２】
チャンバ本体２３０は、陥凹ネック２３６によって下側本体２３４に接合された上側本体２３２を含むことができる。下側本体２３４は、一時停止アセンブリの各部分に接続する斜角底縁を含むことができる。チャンバ本体２３０内に薬剤チャンバ２２６又はキャビティが定められ、チャンバ本体２３０の底壁２４８内に定められたチャンバ開口２５０を通してリザーバに流体接続される。
【００５３】
一部の実施形態では、薬剤チャンバ２２６は、デバイスと併用されることになる口腔剤の直径にほぼ１：１の比で一致する直径Ｄｃを有する。例えば、口腔剤は、Ｄｃの長さの８０％から９８％の間の直径Ｄｔを有することができる。一実施形態では、タブレット直径Ｄｔは、チャンバ直径Ｄｃの９３．６％とすることができる。それにより、ユーザがタブレットをチャンバ内に容易に位置決めすることが可能になり、例えば、ユーザは、タブレットをチャンバ２２６内に圧入する必要はなく、チャンバに流入する流体ストリームによってタブレット５９０の縁部が溶解されることを保証するようにチャンバ２２６内でタブレットが自らひっくり返るのを防止するのを助けるだけでよい。一実施形態では、チャンバ直径は、チャンバ２２６内の流体圧力が蓋に対するラッチ強度を超えないことを保証するようにも選択される。例えば、チャンバの直径Ｄｃが増大すると、蓋１１８及びラッチ１８０に対する流体圧力が増大し、それによってラッチが機能しなくなるか又は他に大きい強度を必要とする場合がある。一実施形態では、チャンバの直径Ｄｃは、０．４００インチと０．６００インチの間、０．４００インチと０．５００インチの間、特定の実施形態では０．４７０の間の範囲に選択される。この実施形態では、タブレット５９０は、０．３００インチから０．５９９インチの間、特定の実施形態では最長寸法にわたって０．４４０インチの対応する直径を有するように選択することができる。
【００５４】
チャンバ２２６は、複数のタブレットをチャンバ内に位置決めする（例えば、積み重ねる）ことを可能にするように、及び／又は高さのあるタブレットを使用することを可能にするように選択された高さを有することができる。チャンバの高さは、ハンドルの望ましい長さ、並びにタブレット又は薬剤の高さに依存して変更することができる。
【００５５】
流れ開口部又はチャンバ入口２５０は、チャンバ２２６の底壁を通して定められ、かつ薬剤チャンバ２２６が、口腔衛生剤が流れ開口２５０を通ってチャンバ２２６から移動して出るのを防止しながら薬剤を受け入れることを可能にするように、リム２２８、本体２３０、及び台座２３８のいずれの直径よりも小さい直径を有することができる。チャンバ入口２５０は、流入する流体ストリームがタブレット又はチャンバに使用される他の薬剤の中心領域に当たることになることを保証するためにチャンバの中心に位置決めすることができる。
【００５６】
チャンバ１２４の接続台座２３８は、チャンバ本体２３０の底端から延びてチャンバ１２３への入口を定める。接続台座２３８は、その中を貫通する流路を定めることができ、この流路は、チャンバ本体２３０内の流れ開口２５０に流体接続される。接続台座２３８は、チャンババルブ５００を含むように構成される。接続台座２３８は、その外面の周りに定められた１又は２以上の密封部材（例えば、密封部材１２０ａ）を受け入れるための１又は２以上の密封溝２４４を含むことができる。密封溝２４４は、接続台座２３８内に第１の部分２４０と第２の部分２４４とを定めることができる。
【００５７】
接続台座２３８にはバルブキャビティ２２７が定められ、リザーバに流体接続される。図１３Ｃを参照すると、バルブキャビティ２２７は、チャンババルブ５００を受け入れるように構成される。バルブキャビティ２２７は、本体２３０の下側部分２３４と台座２３８の上側部分２４０の間のインタフェースの近くで本体２３０の床２４８の下に位置決めされた上側リップ２５２を含むことができる。バルブキャビティ２２７は、台座２３８の下側部分２４２に隣接するように位置決めされた下側リップ２５４を更に含むことができる。
【００５８】
チャンババルブ５００又はチェックバルブは、リザーバ１２に向う逆流を防止する。例えば、チャンババルブ５００は、チャンバ２３０内で薬剤と相互混合した流体がリザーバ又はホース１０８の中に進入して戻るのを防止する。一部の実施形態では、チャンババルブ５００は、一方向流体バルブとすることができる。他の実施形態では、バルブ５００は、特定のサイズの粒子がチャンバ１２４から流路内に逆流することを防止するフィルタ又はスクリーンとすることができる。一例では、チャンババルブ５００はダックビルバルブであるが、他の事例では、リードバルブなどとすることができる。図４Ｂ及び図１２を参照すると、この実施形態では、チャンババルブ５００はダックビルバルブであり、本体５０２の下でそれに隣接し、更に板５０６の上方でそれに隣接するように位置決めされたリム５０４を含むことができる。本体５０２、リム５０４、及び板５０６の各々を間断なく貫通するようにキャビティ５１０を定めることができる。キャビティ５１０内には１又は２以上のフラップ５０８を受け入れることができる。２つのフラップ５０８が存在する時に、その各々は、閉じているが一方向作動可能バルブ構造を生成するために当該フラップの長さの少なくとも一部分に沿って他方に接触することができる。例えば、フラップ５０８は、チャンバからの下向き流体力の印加時に互いに密封することができるが、リザーバからの上向き流体力の印加時に分離して開くことができる。
【００５９】
一時停止アセンブリ
図１４Ａ及び図１４Ｂを参照して、一時停止バルブアセンブリ１４２をより詳細にここで以下に議論する。一時停止バルブアセンブリ１４２は、ユーザがハンドル１００から手を外すことなく、更に口腔洗浄器１０への電力をオフにすることなく先端１０４への流体ストリームを中断することを可能にする。一時停止バルブアセンブリ１４２は、上側バルブ本体１２６と、下側バルブ本体１２８と、シャトルバルブ１３４と、シャトル保持器１３０と、ポペットアセンブリ１３６と、保持リング１３２と、一時停止アクチュエータ１１２とを含むことができる。一時停止バルブアセンブリ１４２のこれらの様々な構成要素をより詳細にここで以下に議論する。
【００６０】
図１４Ａ、図１４Ｂ、図１６Ａ、及び図１６Ｂを参照すると、上側バルブ接続具又は上側バルブ本体１２６は、チャンバ１２４を下側バルブ本体１２８に流体接続する。上側バルブ本体１２６は、ネック２６０によって接続したヘッド２５６と台座２５８とを含むことができる。ヘッド２５６、台座２５８、及びネック２６０の各々は、ほぼ円筒形であり、かつそれを通る流体通路２６２を定めることができる。ヘッド２５６の外径は、台座２５８の外径よりもほぼ大きいとすることができ、これは、次に、ネック２６０の外径よりも大きいとすることができる。ヘッド２５６の直径は、チャンバ１２４の台座２３８を受け入れて固定するほど十分に幅広である。
【００６１】
ヘッド２５６は、ヘッド２５６の上部面２５５から流体通路２６２に向けて内向きに傾斜した内部はす縁５７を含むことができる。ヘッド２５６は、バルブ流れ開口２７６が貫通するように定められた底壁又は床２７２を含むことができる。
【００６２】
図１６Ａを参照すると、ヘッド２５６の外面から長手方向にそれに沿って１又は２以上の位置合わせリブ２７０が延びることができる。位置合わせリブ２７０は、一時停止アクチュエータ１１２に係合し、それがそれに沿って移動するための軌道として作用するように位置決めされる。一例では、図１４Ａ、図１６Ａ、及び図１６Ｂに示すように、２つの位置合わせリブ２７０をヘッド２５６上に互いに約９０〜１８０度距離を置いて位置決めすることができる。位置合わせリブ２７０は、図１６Ｂに示すように細長台座を有する浅い矩形プリズムの形状を有することができ、又は他の形状とすることもできる。
【００６３】
ネック２６０からは、ヘッド２５６から台座２５８までのネック２６０の全高に沿って支持リブ２８８が延びることができる。更に、図１６Ｃに示す一部の実施形態では、外向きにネック２６０の長さの一部分に沿って２つの支持ウィング２６４が延びる。支持ウィング２６４は、バルブ本体１２６をハンドル１００内の望ましい位置に保持するように作用することができる。
【００６４】
図１６Ｂに示すように、台座２５８に隣接する流体通路２６２の部分は、ヘッド２５６の床２７２の下で台座２５８とネック２６０の間のインタフェースの近くに位置決めされたリップ２８０を含むことができる。リップ２８０の下にはＵカップのような密封部材１２０ｂを位置決めすることができる。
【００６５】
図１４Ａ、図１４Ｂ、図１７Ａ、及び図１７Ｂを参照すると、下側バルブ本体１２８は、上側バルブ本体１２６とバルブ台座１３８とを作動可能に接続する。下側バルブ本体１２８は、複数の支持リブ４００と、シェルフ４０４と、上端４０２と、リップ４０６と、環状壁４２０と、スカート４０８とを含むことができる。一実施形態では、支持リブ４００は、シェルフ４０４と上端４０２の間で長手方向に延びてこれらの間に開放空間を定める。リップ４０６は、上端４０２から上方に延び、上端４０２を通して定められたバルブ本体開口部４１０を取り囲むことができる。環状壁４２０は、シェルフ４０４の底端に接続され、シェルフ４０４よりも大きい直径を含むことができる。スカート４０８は、環状壁４２０から下向きに延び、一部の実施形態では、スカート４０８の直径を環状壁４２０の直径よりも大きくすることができるように環状壁４２０から外向きに傾斜した上側部分４２２を含む。スカート４０８は、外側スカート壁４１４と内側スカート壁４１６とを含むことができ、スカートキャビティ４１２を定める。
【００６６】
図１４Ａ、図１４Ｂ、及び図１８を参照すると、シャトル保持器１３０は、ハンドル１００が一時停止モードにある時にポペットアセンブリ１３６のそばを通って流れる流体を受け入れる。シャトル保持器１３０は、レッジ３０８で当接する本体３０７とリップ３０９とを含むことができる。シャトル保持器１３０は、外部壁２９４と、開いた第１の端部２９０から開いた第２の端部２９２を延びるキャビティ２９８を定める段付き内部壁２９６とを含むことができる。開いた第１の端部２９０は、開口部３０６のリム３０４の周りにノッチによって分離された複数のタブ３０２を有する上部面３００を含むことができる。タブ３０２は、シャトルバルブ１３４の円周よりも若干大きい円周を有する割れた円形縁部を定めることができる。リップの上側部分３１０は、タブ３０２及び開口部３０６に向けて内向きに傾斜することができる。
【００６７】
図１４Ａ、図１４Ｂ、及び図１９を参照すると、一時停止モードが選択される時に、シャトルバルブ１３４は、ハンドル１００を通る流体ストリームを中断する。シャトルバルブ１３４は、バルブ本体３３２と台座３３４とを含むことができる。本体３３２は、バルブの上部面３４４を定めることができ、台座３３４は底面３４６を定めることができ、一部の実施形態では、台座３３４は、バルブ本体３３２の底端から外向きに広がる。バルブ本体３３２は、その長さに沿ってほぼ中間に位置決めすることができるコネクタ溝３３６を含む。コネクタ溝３３６は、シャトルバルブ１３４が一時停止アクチュエータ１１２と相応に移動することを可能にする圧着特徴部に接続するように構成される。
【００６８】
シャトルバルブ１３４は、バルブ本体３３２及び台座３３４を通して定められた流れ内腔３４２を含む。シャトルバルブ１３４の開いた第１の端部３３８は、流れ内腔３４２及び台座キャビティ３４８によって開いた第２の端部３４０に流体接続される。
【００６９】
図１４Ａ、図１４Ｂ、及び図２０を参照すると、ホース１０８からチャンバ１２４への流体流れを選択的に切断するためにポペットアセンブリ１３６が使用される。ポペットアセンブリ１３６は、ポペットネック３１８によってポペット支持板３１６に接続された陥凹中心部分３１３を含むキャップ３１２を含むことができる。ポペット支持板３１６の上方には環状プラットフォーム３１４がネック３１８を取り囲むことができる。プラットフォーム３１４の直径は、キャップ３１２の直径にほぼ等しく、ポペット支持板３１６の最も広い直径よりも小さいとすることができる。キャップ３１２と環状プラットフォーム３１４は、ほぼシャトルバルブ１３４内に受け入れられるようにサイズ決定及び成形される。ポペット支持板３１６は、第１の面３２０と、第２の面３２２と、プラットフォーム３１４から外向きに延びる複数のスポーク３２４とを含む。２つの隣接するスポーク３２４は、それらの間に流路３２６を定めるように互いにから分離することができる。キャップ３１２とプラットフォーム３１４の間でポペットネック３１８の周りに密封部材１２０ｄを着座させることができる。
【００７０】
図１４Ａ、図１４Ｂ、及び図２１を参照すると、保持リング１３２は、一時停止アクチュエータ１１２をシャトルバルブ１３４に作動可能に接続する。保持リング１３２は、一時停止バルブアセンブリ１４２の構成要素に係合するようにサイズ決定及び成形することができる。一例では、図２１に示すように、保持リング１３２は、ディスク形であり、かつキーホール切り欠き３５４を含むことができる。キーホール切り欠き３５４は、第１のスロット３５６ａと、アーム開口３５６ｂと、中心開口３５６ｃと、ヒンジ開口３５６ｄとを含むことができる。中心開口３５６ｃは、シャトルバルブ１３４のコネクタ溝３３６の周りに適合するようにサイズ決定することができ、アーム開口３５６ｂ及びヒンジ開口３５６ｄの各々は、下側バルブ本体１２８の支持リブ４００の周りに適合するようにサイズ決定することができる。一部の実施形態では、保持リング１３２は、スナップリングとし、更にシャトルバルブ１３４の外径の周りにスナップ留めするほど十分に可撓性とすることができる。
【００７１】
図２Ａ、図２Ｂ、図３、図５Ａ、図５Ｂ、図１４Ａ、及び図１５を参照すると、一時停止アクチュエータ１１２は、ハンドルを一時停止モード又は清浄モードに入れるためにユーザによって移動される。一時停止アクチュエータ１１２は、ユーザがそれを移動するために把持することができるアクチュエータレバー３６２を定める前面３６５を有することができる。アクチュエータレバー３６２は、卵形であり、そこから外向きに延びてユーザがレバー３６２を容易に把持することを可能にする把持部分３６６を含むことができる。
【００７２】
一部の実施形態では、前面３６５は、ハンドルハウジングの湾曲に一致するように凸に湾曲したものとすることができるが、他の実施形態では別様に構成することもできる。更に、前面３６５は、上側部分３６１から下側部分３６３に移行する時に深さを変えることができる。例えば、図１４Ａに示すように、前面３６５が深さを移行させる時に、前面３６５の上側部分３６１と下側部分３６３の間に張出部３８６を定めることができる。
【００７３】
一時停止アクチュエータ１１２は、前面３６５の後部から外向きに延びてアクチュエータ１１２の長手方向の長さに沿って延びる側壁３７０を含むことができる。２つの側壁３７０の間に支持リブ３６０を位置決めすることができ、支持リブ３６０は、一時停止アクチュエータ１１２の長手方向長さを延びる。一部の実施形態では、支持リブ３６０は、その残余よりも長い幅を有するストップ３６７を含むことができる。ストップ３６７は、ハンドルハウジングに対する一時停止アクチュエータ１１２の上向き運動を制限するために使用することができる。
【００７４】
一時停止アクチュエータ１１２は、側壁３７０及びアクチュエータ１１２の後面から外向きに延びる２対の圧着特徴部３８２ａ、３８２ｂを含むことができる。圧着特徴部３８２ａ、３８２ｂは、一時停止アクチュエータ１１２の移動がそれと共に保持リング１３２を移動するように保持リング１３２をリムで圧着するように構成される。圧着特徴部３８２ａ、３８２ｂは、保持リング１３２に係合するための上側シェルフ３７２と下側シェルフ３７４を含むことができ、後面３６８から互いに平行に延びることができる。
【００７５】
圧着特徴部３８２ａ、３８２ｂの各々は、互いに平行に延びる第１の上側突起３７６ａ、３７８ａと第２の上側突起３７６ｂ、３７８ｂとを含むことができる。第１の突起３７６ａ、３７８ａは、第２の突起３７６ｂ、３７８ｂから横方向に離間させることができ、アクチュエータ面上に定められたシェルフ壁３８０によって接続される。各上側突起３７６ａ、３７６ｂは、その下側突起３７８ａ、３７８ｂから上側シェルフ３７２と下側シェルフ３７４の間の保持間隙３８４の分だけ分離することができる。
【００７６】
旋回アセンブリ
図３〜図５Ｂ及び図２２を参照して、旋回アセンブリ１４３をより詳細にここで以下に議論する。旋回アセンブリ１４３は、ハンドル１００又はホース１０８の他方に対する平行移動又は回転移動を防止するのを助けることができる。旋回アセンブリ１４３は、バルブ台座１３８と台座カラー１４０とを含むことができる。バルブ台座１３８は、不動の下側バルブ本体１２８内に受け入れられるように構成される。バルブ台座１３８は、一連の積み重ねた同心ディスク４３８、４３９、４４０と、円筒形本体４２６と、細長逆目先端４２８とを含むことができる。上部ディスク４３８はスタックの中で最も小さい直径を有することができ、中間ディスク４３９は、上部ディスク４３８と底部ディスク４４０の間の直径を有する。ディスク４３８、４３９、４４０の各々の厚みは、各ディスクの間で増大することができ、上部ディスク４３８は最も小さい厚みを有し、中間ディスク４３９は２つのディスク４３８と４４０の間の厚みを有し、底部ディスク４４０は最も大きい厚みを有する。バルブ台座１３８は、逆目先端４２８から上部ディスク４３８の上部面４３２までの流れキャビティ４３０を定める。逆目先端４２８は、バルブ台座１３８とホース１０８の間の接続を強める１又は２以上の把持構成要素４３６を含むことができる。
【００７７】
台座カラー１４０は、バルブ台座１３８の逆目先端４２８を受け入れるように構成された逆目開口４４２を定めることができる。一例では、図３及び図４Ａに示すように、台座カラー１４０は、リム４４４と本体４４６とを含むことができる。台座カラー１４０は、形状が円筒形とすることができる。
【００７８】
口腔洗浄器の組み立て
ハンドルの組み立ての実施形態をここで以下に議論する。下記の説明は、例示的であることしか意図しておらず、ハンドル１００は、あらゆる方式であらゆる順序で組み立てることができることに注意しなければならない。一実施形態では、一時停止バルブアセンブリ１４２を組み立てるために、シャトルバルブ１３４が上側及び下側バルブ本体１２６、１２８内に受け入れられ、シャトル保持器１３０とポペットアセンブリ１３６とが両方共に下側バルブ本体１２８内に受け入れられ、アクチュエータ１１２の選択的な移動が更にシャトルバルブ１３４を上側及び下側バルブ本体１２６、１２８内で移動するように、一時停止アクチュエータ１１２が保持リング１３２によってシャトルバルブ１３４と作動可能に接続される。
【００７９】
下側バルブ本体１２８のリップ４０６は、上側バルブ本体１２６の台座２５８内に受け入れることができ、流体通路２６２のリップ２８０の下に位置決めされた密封部材１２０ｂの下でそれに隣接するように位置決めすることができる。
【００８０】
シャトル保持器１３０は、下側バルブ本体１２８のスカートキャビティ４１２内に受け入れることができる。シャトル保持器１３０の外部壁２９４は、その段状プロファイルが内側スカート壁４１６の段状プロファイルに従うように下側バルブ本体１２８の内側スカート壁４１６に隣接するように位置決めすることができる。シャトル保持器１３０の第２の端部２９２は、ポペット支持板３１６の第１の面３２０に隣接するように位置決めすることができる。シャトル保持器１３０の上部面３００は、下側バルブ本体１２８のシェルフ４０４の下に位置決めされた密封部材１２０ｃの下に位置決めすることができる。上部面３００内のタブ３０２及びノッチの構成は、水が密封部材１２０ｃに到達し、密封部材１２０ｃをシェルフ４０４に対して押圧し、それによって水が不在の場合よりも高速又は強力なシールを生成することを可能にすることができる。
【００８１】
シャトルバルブ１３４の台座３３４及び本体３３２の下側部分は、シャトル保持器１３０のキャビティ２９８内に受け入れることができる。シャトルバルブ１３４の第１の端部３３８は、上側バルブ本体１２６の流体通路２６２内に受け入れることができる。上側バルブ本体１２６の支持リブ４００は、シャトルバルブ１３４の本体３３２の一部分の両側を挟むことができる。ハンドル１００が一時停止モードにある時に、上側バルブ本体１２６のヘッド２５６の床２７２の底面２８２とシャトルバルブ１３４の本体３３２の上部面３４４の間の空間内にシャトル区画２８４を形成することができる。スロット３５６ａを拡幅し、保持リング１３２の中心開口３５６ｃをシャトルバルブ１３４のコネクタ溝３３６内に着座させるために、保持リング１３２をヒンジ開口３５６ｄにおいて屈曲させることができる。
【００８２】
キャップ３１２と、ポペットアセンブリ１３６のポペットネック３１８の周りに位置決めされた密封部材１２０ｄとは、シャトルバルブ１３４の台座キャビティ３４８内に受け入れることができる。ポペット支持板３１６の第１の面３２０は、シャトルバルブ１３４の台座３３４の底面３４６の下でそれに隣接するように、更にシャトル保持器１３０の第２の端部２９２の下でそれに隣接するように位置決めすることができる。
【００８３】
一時停止アクチュエータ１１２は、上側バルブ本体１２６のほぼヘッド２５６からバルブの下側ハウジングのスカート４０８まで延びることができる。一時停止アクチュエータ１１２の上側部分３６１の後部に各側壁３７０を上側バルブ本体１２６のヘッド２５６の位置合わせリブ２７０に隣接するように位置決めすることができる。同じく上側部分３６１では、少なくとも一時停止モードが選択されている時に、中心壁３６０の末端部分３５８は、上側バルブ本体１２６のヘッド２５６及び台座２５８に隣接するように位置決めすることができる。中心壁３６０の中間部分３５９は、上側バルブ本体１２６の台座２５８及び下側バルブ本体１２８の上板４０２に隣接するように位置決めすることができる。中間部分３５９は、シャトルバルブ１３４の本体３３２に対面することができる。一時停止アクチュエータ１１２の下側部分３６３の近くにある中心壁３６０の末端部分３５８は、下側バルブ本体１２８のスカートに隣接するように位置決めすることができる。保持リング１３２は、上側突起３７６ａ、３７６ｂと下側突起３７８ａ、３７８ｂの間に形成された間隙３８４内に捕捉することができる。上側突起及び下側突起３７６ｂ、３７８ｂから構成される１つの対は、保持リング１３２のキーホール３５４のスロット３５６ａの一部又は全てを横断することができる。上側突起及び下側突起３７６ａ、３７８ａから構成される別の対は、ヒンジ開口３５６ｄの一部又は全てを横断することができる。
【００８４】
ハウジング１０２が組み立てられる時に、一時停止アクチュエータ１１２のアクチュエータレバー３６２は、第１のシェル１１４内の一時停止アクチュエータ開口２０４内に位置決めすることができ、一時停止アクチュエータ１１２の前面３６５は、一時停止アクチュエータフレーム３９０の少なくとも一部分と反対の第１のシェル１１４の内壁１７４ａに対して位置決めすることができる。開口２０４の上側及び下側部分３９２、３９４は、開口２０４がアクチュエータレバー３６２よりも長く、一時停止アクチュエータ１１２の残余よりも短いようにアクチュエータレバー３６２の長さを超えて延びる。この構成では、一時停止アクチュエータ１１２は、開口２０４内に保持され、それと共にアクチュエータレバー３６２及び一時停止アクチュエータ１１２が開口２０４及びフレーム３９０のいずれの側に進行する時も開口２０４内で長手方向に摺動することができる。ハンドル１００上に一時停止アクチュエータ１１２を位置決めすることにより、ユーザは、ハンドル１００に流体接続した口腔洗浄器を使用する間に容易に設定を変更すること又は流体ストリームを一時停止することができる。
【００８５】
ハウジング１０２が組み立てられる時に、一時停止バルブアセンブリ１４２の様々な部分をレッジ１５０ａ、１５０ｂ又は垂直支持壁１４８ａ、１４８ｂによって支持又は捕捉することができる。例えば、ヘッド２５６の下で上側バルブ本体１２６のネック２６０に隣接するようにレッジ１５０ｂを位置決めすることができる。別のレッジ１５０ｂを上側バルブ本体１２６の台座２５８の上方でネック２６０に隣接するように位置決めすることができる。別の例として、下側バルブ本体１２８の上板４０２をレッジ１５０ｂの上に載せることができる。下側バルブ本体１２８の保持壁２８８は、第２のシェル１１６のレッジ１５０ｂと垂直に延び、１又は２以上のレッジ１５０ｂ内のスロット１５１に位置決めすることができる。
【００８６】
旋回アセンブリ１４３を組み立てるために、バルブ台座１３８の逆目先端４２８が台座カラー１４０の逆目開口４４２内に受け入れられる。シェル１１４、１１６のレッジ１５０ａ、１５０ｂは、底部ディスク４４０の下でバルブ台座１３８の本体４２６に隣接するように位置決めすることができる。台座カラー１４０のリム４４４は、レッジ１５０ａ、１５０ｂ上に載ることができる。
【００８７】
カバーアセンブリとチャンバアセンブリとを接合するために、チャンバ１２４が、ラッチ１８０のアーム１８６の内壁１８８の間、及びラッチ１８０のネック１９６とラッチバネ４５０の終端部４６２の間に位置決めされる。チャンバ１２４は、ラッチボタン１１０に向う又はそこから離れるラッチ１８０の横移動が可能になるようにアーム１８６の間の空間を完全には占有しない場合がある。
【００８８】
薬剤アセンブリ１２３は、チャンババルブ５００をチャンバ１２４の台座２３８のバルブキャビティ２２７内に挿入することによって組み立てられる。
【００８９】
ハウジング１０２が組み立てられる時に、チャンバ１２４のリム２２８をそれが第１及び第２のシェル１１４、１１６の上面２０７の平面の上方に延びるように上面２０７上のステップ２０５ａ上に着座させることができる。チャンバ１２４の本体２３０のネック２３６は、第１及び第２のシェル１１４、１１６のレッジ１５０ａ、１５０ｂを受け入れることができる。
【００９０】
一時停止バルブアセンブリ１４２を旋回アセンブリ１４３に接続するために、バルブ台座１３８の上部ディスク４３８の上部面４３２は、ポペットアセンブリ１３６のポペット支持板３１６の第２の面３２２の下でそれに隣接するように位置決めすることができる。中間ディスク４３９は、下側バルブ本体１２８の内側スカート壁４１６に隣接するように位置決めすることができる。底部ディスク４４０がスカート４０８の下に位置決めされた時に、外側スカート壁４１４が底部ディスク４４０の外面４４１と同一面になることができるように、底部ディスク４４０の外径は、下側バルブ本体１２８のスカート４０８の外径とほぼ同じとすることができる。バルブ台座１３８の逆目先端４２８は、台座カラー１４０の逆目開口４４２内に受け入れることができる。
【００９１】
ホース１０８の端部は、逆目先端４２８も上に適合させることができる。ホース１０８は、組み立てられたハウジング１０２のキャビティ１７２を開口１４６で出ることができる。
【００９２】
薬剤アセンブリ１２３と一時停止バルブアセンブリ１４２とを接続するために、チャンバ１２４の台座２３８及びそのネック２４４に隣接する密封部材１２０ａは、位置合わせされた上側バルブ本体１２６及び流体通路の中に受け入れることができる。例えば、上側バルブ本体１２６のヘッド２５６の上部面２５５をチャンバ１２４の本体２３０の下側部分２３４の下でそれに隣接するように位置決めすることができる。チャンババルブ５００は、そのキャビティ５１０がチャンバ１２４の床２４８内の流れ開口２５０の下方及び上側バルブ本体１２６の流体通路２６２の床２７２内の流れ開口２７６の上方にくるように位置決めすることができる。
【００９３】
カバーアセンブリ１２２は、ラッチボタン１１０をラッチバネ４５０にラッチ１８０を通して接続することによって組み立てることができる。ラッチ１８０のカプリングヘッド１７５及びタブクリップ１７６は、ラッチボタン１１０の板スロット１６４内に挿入される。タブクリップ１７６は、カプリングヘッド１７５の平面から若干離れるように傾斜させることができる。タブクリップ１７６がラッチボタン１１０の板スロット１６４内に挿入された状態で、クリップ１７６は、ヘッド１７５の平面に位置合わせするように屈曲させることができる。ここで、クリップ１７６は、元の位置に向けて湾曲し、自らをスロット１６４の内側に対して付勢し、それによってラッチボタン１１０をラッチ板１１８に固定することができる。ラッチ１８０の各脚１８２の係合面１８４は、ラッチバネ４５０の各終端部４６２の対応する係合突起４６４に当接することができる。ラッチバネ４５０のスパイン４５２は、第２のシェル１１６の内面に対して付勢することができる。
【００９４】
カバーアセンブリ１２２の更に別の組み立ては、蓋１１８をトリムリング４７４、ラッチキャッチ２１２、及びハウジング１０２の各々に接続する段階を含む。トリムリング４７４は、蓋１１８のピン４７８をトリムリング４７４内の対応する孔４７９を通して装着することによって蓋１１８に、例えば、その外側リム４９５に接するように固定される。蓋１１８の一部分がラッチキャッチ２１２のウェル２２０内に延びるように、ラッチキャッチ２１２のキャッチ本体２１６及び固定シェルフ２１４は、蓋１１８のスロット４８４内にオーバーモールドする、インサートモールドする、又は他に埋め込むことができる。
【００９５】
蓋１１８をハウジング１０２に接続する前に、一時停止バルブアセンブリ１４２と旋回アセンブリ１４３と薬剤アセンブリ１２３とが組み立てられ、第１及び第２のシェル１１２、１１４が、互いに固定されて一時停止バルブアセンブリ、旋回アセンブリ、及びチャンバアセンブリ１４２、１４３、１２３が封入される。
【００９６】
蓋１１８は、ヒンジアセンブリ４８５を通してハウジング１０２に接続される。例えば、第２のシェル１１６のナックル２０６が、蓋１１８のヒンジ本体４８６の両側に位置決めされる。ピン４９０が、ナックル２０６のピン開口２０８を通して、更にヒンジ本体４８６のチャネル４８８を通して挿入される。蓋バネ４９２は、ヒンジ本体４８６及びブリッジ４９３の凹部４９１内に着座させることができ、ピン４９０をそのほぼ長手中心で取り囲むことができる。
【００９７】
組み立てられた状態で、ユーザが歯科薬剤を挿入及び／又は除去することを可能にするように図１Ａ〜図２４Ｂのハンドルの蓋１１８を開閉することができる。例えば、ユーザは、最初にラッチボタン１１０の本体１５６の外面１５８上を押下することによって蓋１１８を開けることができる。ラッチボタン１１０が押されると、ボタン１１０は、ラッチボタン１５６の各アーム１６０の終端又は係合端部１６２を通してラッチ１８０に対して力を作用する。特に、アーム１６０は、ラッチ１８０のショルダ１９０の上部壁１９２を押圧し、ラッチ１８０のネック１９６及び固定クラスプタブ２００をハンドルの中心に向けて横方向に内向きに移動する。ラッチボタン１１０が押されると、剛性ラッチ１９０は、移動してラッチバネ４５０の係合突起４６４に対して力を作用する。ラッチバネはハウジングに対して位置が固定されているので、この力によってラッチアーム４６２が屈曲する。アーム４６２の可撓性により、ラッチ１８０をラッチキャッチ２１２に対して変位させることが可能になる。特に、ラッチ１８０が移動すると、ラッチ１８０のタブ２００の係合面２０２が、ラッチキャッチ２１２のフック２１８の端部２１９から解除され、すなわち、タブ２００の係合面２０２が水平に移動してラッチキャッチ２１２を脱座させる。ラッチ１８０がラッチキャッチ２１２を解除すると、ステップ２０５ｅに対する蓋バネ４９２の力が、蓋１１８及びキャッチ２１２をピボット回転させてハンドルから引き離す。この引き離しが発生する時に、キャッチ２１２及びフック２１８は、ラッチ１８０のキャッチ開口１９９を通過し、更に第１のシェル１１４のキャッチ開口１５４を通して蓋１１８がピン４９０上でピボット回転することを可能にする。このようにして、蓋を開けるのに必要とされるのは指でボタン１１０を押すことだけであるので、ユーザは、蓋１１８を片手で開けることができる。
【００９８】
ボタン１１０に対するユーザによる水平の力が取り除かれると、ラッチバネ４５０が元の形状及び／又は位置に戻ることができる。特に、ラッチバネ４５２は、元の位置にはね返るか又は戻り、ラッチ１８０に対して復帰力を作用し、ラッチ１８０を水平に反対方向に移動して最初の位置に戻すことになる。
【００９９】
蓋１１８を閉じるために、ユーザは、蓋１１８のその上に対して蓋バネ４９２の力に打ち勝つ下向きの力を作用し、蓋１１８は、ハンドルに向けてピン４９０の周りにピボット回転する。このピボット回転が発生する時に、ラッチキャッチ２１２は、ハウジング及びラッチ１８０のキャッチ開口１５４、１９９それぞれを通過する。タブ２００の勾配面は、キャッチがラッチ係止位置に位置決めされてラッチの底面に係合するまでラッチ１８０上のキャッチ開口を容易に摺動して抜けることを可能にする。更に、フックがキャッチ開口を通過する時に、フック２１８部分がラッチ１８０のタブ２００に係合し、ラッチ１８０を横方向に移動してフック２１８が開口１９９を通って延びることが可能になる。フック２１８がキャッチ開口１９９を通ると直ぐに、タブ２００は、バネ４５２に向けてもはや押し付けられず、ラッチ１８０は、バネ４５２によって元の位置に向けて戻るように押し付けられ、フック２１８の端面がラッチ１８０の底面に係合する。
【０１００】
先端の構成要素及び組み立て
一部の実施形態では、先端は、ハンドル１００に作動可能かつ解除可能に結合することができる。一部の事例では、先端又は先端アセンブリは、１又は２以上のフィルタのような薬剤アセンブリの特徴部を含むことができ、これらのフィルタを容易に交換することを可能にする。図７Ａ及び図７Ｂは、ハンドルとの併用のための先端アセンブリ１０４の様々な図を示している。図７Ａ、図７Ｂ、及び図１２を参照すると、先端アセンブリ１０４は、先端カラー１０６と、先端本体５１２と、先端シールキャップ５１５と、フィルタ５３０とを含み、これらの各々に対しては下記で議論する。この先端構成は、美的に心地よく、更に機能的であるように意図したものであることに注意しなければならない。ハンドルへの結合の前後に先端の様々な部分がユーザに対して露出される可能性があるので、これらの特徴部は、美的外観、並びに機能性を高める方式で設計することができる。
【０１０１】
先端リング１０６又は先端カラーは、先端カラー５３４の直上でそれに隣接する位置で先端本体５１２の一部分を包囲する又は取り囲むことができる。先端リング又は先端カラー１０６は、様々なユーザに対して異なる先端を識別するために様々な色で形成することができる。これに加えて、先端カラー１０６は、その前面上に色付き特徴部、印刷特徴部、凹凸付き特徴部、刻印特徴部、ノッチ特徴部、又は他に形成された特徴部のような位置合わせアイコン５３９を含むことができる。一実施形態での位置合わせアイコン５３９は、下記で議論するように、ユーザがハンドル内で先端を容易に位置合わせすることを可能にするために先端の前部中心部分を示す印刷ドットである。一部の実施形態では、蓋１１８は、ユーザが先端を挿入する時に参照することができる対応する位置合わせアイコン４７１を含むことができる。
【０１０２】
先端本体５１２は、流体を通して放出することができる先端出口が終端に形成されたハンドルに対する噴射先端を形成する。先端本体５１２の長さにわたって流体の通過のためのチャネル５１４を定めることができる。先端本体５１２の反対端は、フィルタハウジング５３４を定め、先端シールキャップ５１５に係合し、フィルタ５３０を受け入れる。フィルタハウジング５３４は、先端本体５１２の底端に定めることができ、先端本体５１２の底部から下向きに延びる。例えば、フィルタハウジング５３４は、先端に対する拡大円筒形端部として定めることができる。
【０１０３】
フィルタハウジング５３４は、先端シールキャップ５１５、並びにフィルタ５３０に係合するための様々な特徴部を含み、更に、フィルタアセンブリを受け入れるための内腔５３６を定めることができる。一部の実施形態では、フィルタハウジング５３４は、シールキャップ５１５の各部分を受け入れるために環状溝として外部面上に定めることができる１又は２以上の接続溝５４１を含むことができる。フィルタハウジング５３４は、先端１０４がハンドル１００内に挿入される時に、先端１０４が蓋１１８のクラウン４７０に隣接する先端キャビティ２１１の部分に係合する及び／又はそれを密封するのを助けることができる段付きリムを有することができる。先端の底端又はフィルタハウジング５３４は、位置合わせタブ５３８を更に含むことができる。位置合わせタブ５３８は、フィルタハウジング５３４の前部側壁から外向きに延びることができる。位置合わせタブ５３８のサイズ及び形状は、蓋１１８の蓋本体４７２のレッジ４９８内に定められた先端位置合わせノッチ４９７に対して相補的なものとすることができる。
【０１０４】
これに加えて、フィルタハウジング５３４は、その底端に濾過チャンバ５３６を定める。濾過チャンバ５３６は、先端本体５１２の底端５３１の上方に定められた内部シェルフ５５７を有する段付きチャンバとして定めることができる。チャンバ５３６の上端は、流れを先端流体通路５１４内に誘導する先細壁５４３を含む。チャンバ５３６の側壁は、追加の強度を与えるためにフィルタハウジング５３４の長手軸と平行に延びる垂直リブ５３７を含み、更に、チャンバ５３６の流体通路の直径を有意に低減することなくフィルタ５３０を定位置に固定するためのブラケットを定める。濾過チャンバ５３６の底部分は、このチャンバ内に延びる環状リムとして定めることができるスクリーン支持体５３２を更に含む。濾過チャンバ５３６の開口部を定める底壁５３１は、チャンバ開口部の周りに離間した１又は２以上の突起５４５を含むことができる。
【０１０５】
図７Ａ〜図７Ｃを参照すると、先端シールキャップ５１５は、先端１０４がハンドルに位置決めされる時に先端の底端を密封するように構成され、更にフィルタハウジング５３４の外面の一部分に係合するように構成される。先端シールキャップ５１５は、スカート５１６と、外部壁５２２と、環状リップ５２８とを含むことができる。スカート５１６は、それが先端シールキャップ５１５の上端から離間し、下向きにかつシールキャップ５１５の中心軸から半径方向に離れるように延びるので傾斜面５１７を定める。スカート５１６は、一部の実施形態ではハンドルとの緊密密封を保証するための圧縮性シールとして作用することができる外周の周りに延びる環状ビーズとして形成されたリム５１８を含むことができる。他の実施形態では、リム５１８は、先端シールキャップ５１５と一体形成された又はそれに固定されたＯリングによって形成することができる。
【０１０６】
スカート５１６の前面の一部分は、移行して位置合わせタブ５４０を形成することができる。タブ５４０は、ユーザが先端１０４を先端キャビティ２１１内に目視で位置合わせするのを支援する。これに加えて又はこれに代えて、タブ５４０は、蓋１１８が閉じられている最中に台座５１５が最初に接触するチャンバ１２４のリム２２８に接するシールキャップ５１５に補強を付加することができる。一部の例では、タブ５４０は、互いに固定された時にフィルタハウジング５３４の位置合わせタブ５３８に位置合わせするように形成される。一部の例では、タブ５４０は、形状が半円形であるが、あらゆる形状とすることもできる。
【０１０７】
図７Ｃの参照を続けると、シールキャップ５１５は、スカート５１６の底部から移行して外部壁５２２を定め、この外壁は、垂直壁５２６に移行する傾斜部分５２４を含むことができる。シールキャップ５１５は、垂直壁５２６から半径方向外向きに延びる端部ビーズ５２８で終端し、先端１０４がハンドル内に挿入される時に先端シール５１５がハンドル内の様々な面に接して密封されることを保証するためのＯリング又は他の圧縮性特徴部として作用することができる。
【０１０８】
シールキャップ５１５は、蓋１１８とチャンバ１２４とに係合するための段付きリムを有することができる。リムは、蓋１１８及びチャンバ１２４の一部分に対して相補的なものとすることができる。一例では、図１２に示すように、リムは、ヒップ５１６の傾斜部分５１７に沿って、台座５１５の最も幅広の部分とすることができる環状リム５１８に至るまで拡大することができる。台座５１５のリムは、ヒップの底面５２０の一部分が露出されるように環状リム５１８から外部壁５２２に内向きに入り込むことができる。環状リップ５２８の直径は、外部壁５２２の垂直部分５２６の直径よりも大きいが、垂直壁５２２の勾配部分５２４の最大直径よりも小さいとすることができる。
【０１０９】
先端１０４を組み立てるために、先端カラー１０６が先端本体５１２の上に位置決めされ、フィルタハウジング５３４の上部面５４９上に載る。一部の実施形態では、カラー１０６が定位置にあることを保証し、先端本体５１２に対する回転を防止するために、本体突起５５１が先端カラー５０６内の対応する凹部５５３内に着座する。位置合わせアイコン５３９は、先端本体５１２の出口１０５と同じ方向で前方を向くように向けられる。図７Ｂ及び図７Ｃを参照すると、フィルタアセンブリ５３０、５３２は、フィルタハウジング５３４内に位置決めされる。例えば、フィルタスクリーン５３０は、フィルタチャンバ５３６内に受け入れられ、フィルタハウジング５３４によってレッジ５５７の底面に対して押圧される。レッジ５５７は、流体がフィルタチャンバ５３６から先端本体５１２内の流路５１４に流れる時にフィルタスクリーン５３０が外れるか又は他に位置を移動することを防止するように作動する。ここで、フィルタ５３０と同時に又はその後に挿入することができるスクリーン支持体５３２は、フィルタ５３０の下でフィルタハウジング５３４の内壁に接するように位置決めされる。突起５４５は、使用中のフィルタアセンブリの下向き移動を防止することができる。
【０１１０】
先端シールキャップ５１５は、フィルタハウジング５３４の外面の周りに受け入れられる。例えば、タブ５４０は、フィルタハウジング５３４のタップ５３８に位置合わせすることができ、先端シールキャップ５１５はフィルタハウジングに嵌合する。キャップ５１５を定位置に固定するために、シールキャップ５１５の上端は、フィルタハウジング５３４の密封溝５３７内に嵌合する。先端上に位置決めされる時に、シールキャップ５１５は、底端５３１のそばを通って延び、下側ビーズ５２８が先端アセンブリの終端を形成する。
【０１１１】
先端の挿入及び取り外し
ユーザは、先端１０４を図１Ａ〜図２４Ｂのハンドル１００内に挿入し、そこから取り外すことができる。多くの実施形態では、先端１０４は、ハンドル１０４の蓋１１８に固定され、蓋１１８と共にハンドル１００から離れるようにかつそれに向けてピボット回転する。先端を挿入するために、ユーザは、蓋１１８及び先端１０４を開けることができ、先端出口１０５から始めて先端キャビティ２１１に通し、更に先端カラー１０６が蓋１１８のクラウン４７０の上方でそれに隣接するように位置決めされるまで蓋１１８の先端受け入れ開口２１０に通すことができる。先端１０４のフィルタハウジング５３４は、キャビティ２１１の内側に接し、蓋１１８のクラウン４７０に隣接するように着座する。フィルタハウジング５３４上の位置合わせタブ５３８が、蓋１１８の本体４７２のレッジ４９８内の先端位置合わせノッチ４９７内に位置決めされ、先端１０４が蓋１１８内に固定され、更に、先端１０４が蓋１１８に対して適正に位置合わせされることを保証する。
【０１１２】
更に、シールキャップ５１５が、蓋１１８の内面レッジ４９８に対して押圧され、スカート５１６の傾斜面５１７は、蓋１１８の内壁、例えば、面レッジ４９８の勾配に対応し、それと相補的な勾配を有する。先端１０４と蓋１１８の間の密封接続を保証するために、外側ビーズ５１８がレッジ４９６に係合し、それによって押される。シールキャップ５１５のタブ５４０も同じくノッチ４９７内であるがフィルタハウジング５３４のタブ５３８の下に位置決めされる。
【０１１３】
シールキャップ５１５とフィルタハウジング５３４との固定係合は、流体がチャンバ５３６を貫流して出口１０５から出る際の水圧下にあっても、先端１０４が蓋１１８に固定された状態に留まることになることを保証する。更に、蓋１１８がハンドルに対してピボット回転する時に、先端１０４は蓋１１８と共に移動することになり、ユーザが、先端１０４を取り外す必要なく口腔衛生タブレットを容易に挿入することを可能にする。
【０１１４】
蓋１１８が閉じられ、蓋１１８のラッチキャッチ２１２が、上述のようにラッチ１８０のクラスプタブ２００によって捕捉されると、先端１０４は、蓋１１８と共にハウジング１０２に対して定位置に維持される。更に、蓋１１８が閉じられると、先端１０４のシールキャップ５１５は、チャンバ１２４の薬剤チャンバ２２６への開口部の中に引き入れられ、部分的にその中に着座する。先端シールキャップ５１５の環状リップ５２８は、リム２２８に接するように着座し、液密圧縮性シールが形成される。一部の実施形態では、環状リップ５２８とリム２２８とが互いに不規則に適合し、それによって先端１０４とチャンバ１２４の間のインタフェースの早期劣化を防止しながら液密シールを提供することができる。
【０１１５】
先端１０４の台座５１５のスカート５１６の底面５２０は、チャンバ１２４のリム２２８の上面２２４の上方でそれに隣接するように位置決めされる。スカート５１６の底面５２０とリム２２８の上面２２４の間のインタフェースは、環状リップ５２８とリム２２８の間のインタフェースに対して２次的なシールを形成することができる。
【０１１６】
シールキャップ５１５の外部壁５２２の勾配部分５２４は、リム２２８の内部壁２２２の勾配部分２２１に隣接するように位置決めされる。シールキャップ５１５及びビーズ５２８の圧縮性は、蓋１１８が開けられた時にシールキャップがチャンバに対して移動して蓋１１８と共に先端１０４を移動することを可能にしながら、チャンバとの密封係合を定めることができる。外部壁５２２の垂直部分５２６は、リム２２８の内部壁２２２の垂直部分２２３に隣接するように位置決めすることができる。
【０１１７】
先端１０４をハンドル１００から取り外すために、ラッチボタン１１０が押下され、上述のように蓋ラッチが解除される。蓋１１８がハンドルから離れるようにピボット回転すると、先端シールキャップ５１５の環状リップ５２８は、蓋１１８のヒンジ本体４８６の凹部４９１内のバネ４９２の力を借りてチャンバ１２４のリム２２８から解除される。ユーザは、先端本体５１２又は先端カラー１０６を把持することなどによって蓋１１８の先端キャビティ２１０を通して先端１０４を引き抜くことができる。
【０１１８】
ハンドルの使用
ユーザは、口腔洗浄、及び／又は歯、歯茎、及び舌の洗浄に向けて図１Ｂ〜図２４Ｂのハンドル１００及びそれが流体接続した口腔洗浄器１０（図１Ａを参照されたい）を使用することができる。例えば、先端１０４がハンドル１００に接続され、蓋１１８が開放位置にある場合に（図２４Ａ及び図２４Ｂを参照されたい）、チャンバ本体２３０の薬剤チャンバ２２６が露出される。ユーザは、次に、チャンバ２２６での使用に向けて歯科薬剤を入れることができる。適切な歯科薬剤の一例は、引用によって本明細書にその全体が組み込まれている米国仮特許出願第６２／４５３，９４９号明細書に記載されている。
【０１１９】
図１２に示すように、タブレット５９０とすることができる口腔剤がチャンバ２２６内に受け入れられた状態で、タブレット５９０は、チャンバ２２６の直径の大部分にわたって張っている。一部の実施形態では、チャンバは、タブレット５９０の最長寸法がチャンバ直径の長さに近いようにサイズが決定される。このサイズ決定は、チャンババルブ５００を通ってチャンバ２２６内に流入する水噴流がタブレット５９０の側部ではなく丸形の又は最長寸法の面に衝突することになることを保証するのを助ける。例えば、一部の実施形態では、タブレットチャンバ直径は、０．５インチから１．０インチの間、一部の実施形態では０．４７０インチであり、タブレット直径は、０．４インチから．９０インチの範囲にわたり、一部の実施形態では０．４４０インチとすることができる。これらの実施形態では、約１：１というタブレット直径のためのチャンバ直径の比は、タブレットがその最大面で衝突を受けることを可能にして均等な溶解を保証し、更に、チャンバ２２６内の流体圧力が蓋１１８に対するラッチ機構に過大応力を与える程まで断面が過度に大きくないことを保証することが見出されている。これは、一部の事例では、タブレット５９０が、軸線方向寸法に圧縮されて水噴流がバルブ５０８を通ってチャンバ２２６に流入する時にタブレット５９０に軸線方向に、例えば、垂直に衝突する時により予想可能に分解する粒子又は粉末によって形成される場合があることに起因する。
【０１２０】
図２４Ａ及び図２４Ｂの参照を続けると、上流のスクリーン５３０は、蓋１１８に接続され、それと共にピボット回転してチャンバ２２６を露出することができ、それによってユーザが薬剤チャンバ２２６に容易にアクセスすることが可能になる。しかし、他の実施形態では、スクリーン５３０は不動状態に留まることができ、ユーザが、スクリーン５３０の周りで薬剤を巧みに扱うか又は他にスクリーン５３０を取り外し、その後に薬剤をチャンバ２２６内に入れる必要がある場合がある。
【０１２１】
図２４Ａ及び図２４Ｂに図示の実施形態では、開いた蓋１１８は、ヒンジアセンブリ４８５を通してハウジング１０２に接続された状態に留まる。これは、口腔衛生剤を挿入する時にユーザが蓋１１８を誤配置することを防止するのを助け、更に、ユーザが薬剤を挿入するために片手を空いたままに保つことを可能にする。
【０１２２】
歯科薬剤が挿入された状態で又はユーザが歯科薬剤を用いないことを望む可能性がある事例では、ユーザは、蓋１１８をピン４９０の周りにピボット回転させて第１及び第２のシェル１１４、１１６の上面２０７に向けて下向きに反転させることによって閉じる。蓋１１８のクラウン４７０の上面４７１上の把持部分４９４を押下することにより、バネ４９２の付勢が打ち負かされ、ラッチキャッチ２１２のフック２１８を第１のシェルのキャッチ開口１５４に通し、更にラッチ１８０のクラスプ開口１９９に通すことができる。キャッチが挿入された状態で、キャッチ先端は、ラッチ１８０に係合してそれをラッチバネ４５０に対して押圧し、ラッチバネ４５０は、屈曲してラッチ１８０が横方向に移動することを可能にし、キャッチをクラスプ開口１９９内に受け入れることを可能にする。次に、ラッチ１８０のクラスプタブ２００の端部２０２が、ラッチキャッチ２１２のフック２１８の端部２１９を捕捉し、それによって蓋１１８がハウジング１０２に固定される。
【０１２３】
蓋１１８が閉鎖位置にある場合に（図１Ｂを参照されたい）、トリムリング４７４の底面４７６は、第１及び第２のシェル１１４、１１６のステップ２０５ｃのような上面２０７に接触することができる。
【０１２４】
次に、ユーザは、洗浄器をオンにすることができる。特に、ハンドル１００は口腔洗浄器１０のリザーバ１２のような流体源に流体接続され、電力が口腔洗浄器１０に供給され、使用に向けてハンドル１００の準備が整う。作動されると、ポンプ１６は、リザーバ１２からホース１０８を通してバルブ台座１３８内の流れキャビティ４３０内へ、更にシャトル保持器１３０のキャビティ２９８内に流体を引き入れる。リザーバ１２及びポンプ１６がハンドルに接続される場合（例えば、手持ち式口腔洗浄器）のような他の実施形態では、ホース１０８の代わりに内部流体通路を使用することができる。
【０１２５】
清浄モード中に（図５Ｂを参照されたい）、一時停止アクチュエータ１１２を蓋１１８の近くに位置決めすることによって一時停止バルブアセンブリ１４２がオン又は開放位置に置かれる。保持リング１３２を通じて一時停止アクチュエータ１１２と作動可能に接続されたシャトルバルブ１３４が上側バルブ本体１２６のシャトル区画２８４内に移動される。シャトルバルブ１３４の本体３３２の上部面３４４は、上側バルブ本体１２６のヘッド２５６の床２７２の底面２８２に接近又は接触する。
【０１２６】
シャトルバルブ１３４の台座３３４の底面３４６とポペットアセンブリ１３６のポペット支持板３１６の第１の面３２０の間に、流れ間隙３５０が同時に生成される。シャトルバルブ１３４のこの位置では、ポペットアセンブリ１３６のキャップ３１２、ポペットネック３１８、及び密封部材１２０ｄは、シャトルバルブ１３４の台座キャビティ３４８の内側に着座するのではなく下方に位置決めされる。流体は、ホース１０８からバルブ台座１３８内の流れキャビティ４３０を通り、ポペット支持板３１６のスポーク３２４の間の流路３２６を通ってシャトル保持器１３０のキャビティ２９８内に、シャトルバルブ１３４の台座キャビティ３４８内に、更にシャトルバルブ１３４の流れ内腔３４２内に流れる。流体は、上側バルブ本体１２６内の流れ開口２７６を通り、チャンバ１２４の台座２３８のバルブキャビティ２２７内のチャンババルブ５００を通過する。
【０１２７】
流体は、次に、チャンバ１２４の薬剤チャンバ２２６に流入し、存在する場合はチャンバ２２６内の口腔衛生剤と相互作用する。薬剤がタブレットである実施形態では、流体はタブレットを溶解し、流体ストリームの中に粒子が放出され、流体ストリームは、次に、これらの粒子を先端１０４内のチャネル５１４を通して運び、先端出口１０５から出してユーザの口の中に入れる。特に、流体ストリームの中に流れる粒子は、チャンバ２２６からフィルタハウジング５３４に移動し、フィルタチャンバ５３６内に流入する。流体は、流体通路５１４内に流入することができる前にフィルタアセンブリを通過する。フィルタスクリーン５３０は、先端出口１０５に送出される流れを濾過するように作用し、スクリーン５３０内の開口部のサイズによって決定された予め決められたサイズよりも大きい粒子が先端の中に漏出することが防止されることを保証する。言い換えれば、大きい粒子は阻止され、予め決められたサイズまで侵食又は溶解されるまでフィルタチャンバ５３６及び／又はチャンバ２２６内に留まる。この濾過は、使用中に先端が粒子で閉塞状態になるのを防止し、更に、ユーザが、望ましくない可能性がある大きい粒子を感じるのを防止するのを助ける。フィルタハウジング５３４内のフィルタブラケット５５７は、チャンバ５３６を通って進行する流体によって作用される有意な流体圧力の下であってもフィルタ５３０が定位置に固定された状態に留まることを保証する。流体がフィルタチャンバ５３６のその上の出口などを通ってフィルタハウジング５３４を出ると、先細壁５４３が流体通路を縮小し、流体を先端流れ通路５１４内に追い込む。先端流体通路５１４から、流体及び粒子は先端出口１０５を出てユーザの口腔の中に放出され、多くの場合に、汚れを除去するためにユーザの歯の外面に向けて誘導される。
【０１２８】
作動中に、ユーザは、先端１０４への流体流れを一時的に停止するために一時停止モードを作動させることができる。ハンドル１００が接続した口腔洗浄器への電力を停止することなく一時停止モードを開始するために、以下の通りに一時停止バルブアセンブリ１４２を閉鎖位置まで移動しなければならない（図５Ａを参照されたい）。ユーザは、把持部分３６６を把持し、それを蓋１１８から離れるように（すなわち、停止位置又はオフ位置に）ハウジング１０２の長手軸に実質的に沿って移動することなどによって一時停止アクチュエータ１１２をハウジング１０２に対して下向きに手動で摺動させる。一時停止アクチュエータ１１２のこの並進移動はまた、結合された保持リング１３２を下向きに摺動させ、これは、次に、作動可能に接続されたシャトルバルブ１３４を下向きに摺動させる。洗浄モード中に達成されたシャトルバルブ１３４の台座３３４とポペット支持板３１６の間の流れ間隙３５０が閉じられる。シャトルバルブ１３４の台座３３４は、ポペット支持板３１６の第１の面３２０に接触し、それによってキャップ３１２、ポペットネック３１８、及び密封部材１２０ｄがシャトルバルブ１３４の台座キャビティ３４８の内側に受け入れられる。密封部材１２０ｄは、台座キャビティ３４８とのシールを提供するのを助け、流体が台座キャビティ３４８に流入することが部分的に又は完全に防止される。流体は、ホース１０８からバルブ台座１３８を通り、ポペット支持板３１６の流路３２６を通ってシャトル保持器１３０のキャビティ２９８内に流れることができる。しかし、流体は、シャトルバルブ１３４の流れ内腔３４２内に進入することができない。それにより、シャトルバルブ１３４を通って先端１０４に至る流体流れは一時停止又は停止される。チャンババルブ５００は、口腔衛生剤と混合された流体がリザーバ１２内に逆流することを防止するのを助ける。
【０１２９】
一時停止モードは、一時停止アクチュエータ１１２の電気的ではなく機械的な作動によって実施される。機械的に作動される一時停止モードは、ハンドル１００内の電気回路に対する必要性を回避し、それによって電気回路が流体導管の物理的に直近に存在しないので、ハンドル１００及びそれが流体接続した口腔洗浄器の安全性を改善するのを助ける。電気的に制御される代わりに機械的に制御される一時停止モードは、ハンドル１００及び口腔洗浄器の製造コストも低減する。ハンドル１００内には、そのような回路を給電するためのいずれの別個のバッテリも必要とされない。これに代えて、ハンドル１００は、口腔洗浄器に電気配線する必要はない。従って、容易にアクセス可能かつ選択可能な一時停止モードが、有意に低い製造コスト及び高い安全性と共にユーザに提供される。
【０１３０】
代替実施形態
図５Ｂ及び図５Ｃを参照すると、一部の実施形態では、一時停止バルブアセンブリ１４２は、保持クリップ６３０を含み、シャトル保持器１３０を含まない。シャトル保持器１３０と比較すると、保持クリップ６３０は、クリップ６３０が受け入れられる下側バルブ本体１２８の直径を含むサイズの縮小を可能にすることができる。保持クリップ６３０は、ハンドル１００が一時停止モードにある時にポペットアセンブリ１３６のそばを通って流れる殆どの流体に対する障壁を与える。ハンドル１００が洗浄モードにある時に、保持クリップ６３０は、シャトルバルブ１３４の台座３３４とのシールを形成することにより、水が下側バルブ本体１２８のシェルフ４０４の下に位置決めされた密封部材１２０ｃに接触することを防止する。保持クリップ６３０は、シャトルバルブ１３４がハンドル１００の蓋１１８に向けて過度に遠くまで引っ張られるのを更に防止する。保持クリップ６３０を含む口腔洗浄器ハンドル１００又は一時停止バルブアセンブリ１４２は、上述したものと類似の設計、構成、機能、組み立て、及び作動を有するが、以下の例外を有する。
【０１３１】
図５Ｂ及び図５Ｃの参照を続けると、保持クリップ６３０は、外部壁７９４と段付き内部壁７９６とを有することができる。
【０１３２】
一時停止バルブアセンブリ１４２が組み立てられる時に、保持クリップ６３０は、その外部壁７９４が内側スカート壁４１６に隣接するように下側バルブ本体１２８のスカートキャビティ４１２内に受け入れることができる。保持クリップ６３０は、下側バルブ本体１２８のシェルフ４０４の下に位置決めされた密封部材１２０ｃの下に位置決めすることができる。水が密封部材１２０ｃに到達してそれをシェルフ４０４に対して押圧し、それによって水が不在の場合よりも速い又は強力なシールを生成することを可能にするように、保持クリップ６３０の内径は、シャトルバルブ１３４の外径よりも若干大きいとすることができる。
【０１３３】
シャトル保持器１３０を含む実施形態と比較して、一時停止バルブアセンブリ１４２が保持クリップ６３０を含む場合に、シャトルバルブ１３４の台座３３４及び本体３３２の下側部分をシャトル保持器１３０のキャビティ２９８の代わりに下側バルブ本体１２８のスカートキャビティ４１２内に受け入れることができる。洗浄モード又は一時停止モード中のいずれかに流体がハンドル１００内に流れ込んでいる時には、流体は、シャトル保持器１３０のキャビティ２９８の代わりに下側バルブ本体１２８のスカートキャビティ４１２内に流れる。
【０１３４】
一時停止バルブアセンブリ１４２がオン位置又は開放位置に置かれ、シャトルバルブ１３４が蓋１１８の近くに位置決めされる洗浄モード中に、シャトルバルブ１３４の台座３３４が過度に遠くまで進行するのを保持クリップ６３０の内部壁７９６との接触によって阻止することができる。
【０１３５】
図３２及び図３３を参照すると、一部の実施形態では、一時停止バルブアセンブリは、密封部材１２０ｃ、例えば、Ｕカップを定位置に固定するための固定クリップ６３１を更に含むことができる。例えば、固定クリップ６３１は、金属のような高い強度及び／又は剛性の材料で形成され、かつ支持突起を含むことができる。一例では、固定クリップ６３１は金属星形ワッシャーである。金属の高い剛性及び強度は、密封部材１２０ｃに対する追加の支持を提供し、それが、それに対してバルブ１３４が移動する時に密封部材１２０ｃが定位置に留まることを保証するのを助ける。
【０１３６】
図２３Ａ及び図２３Ｂを参照すると、一部の実施形態では、ポペットアセンブリは、バルブ台座内に組み込まれて一体的バルブ台座６３８を形成し、これは、構成要素部品の個数を低減することによってハンドル１００の製造コスト及び／又は製造時間を低減するのを助けることができる。一体的バルブ台座６３８を含む口腔洗浄器ハンドル１００は、上述したものと類似の設計、構成、機能、組み立て、及び作動を有するが、以下の例外を有する。
【０１３７】
一体的バルブ台座６３８は、ホース１０８からチャンバ１２４への流体流れを選択的に切断するように構成される。一体的バルブ台座６３８は、積み重ねられた同心ディスク９３８、９４０によって細長逆目先端９２８に接続されたポペットアセンブリを含むことができる。ポペットアセンブリ６３６は、ポペットネック８１８によってポペット支持板８１６に接続された陥凹中心部分８１３を含むキャップ６１２を含むことができる。環状プラットフォーム８１４が、ポペット支持板８１６の上方でネック８１８を取り囲むことができる。キャップ８１２及び環状プラットフォーム８１４は、ほぼシャトルバルブ１３４内に受け入れられるようにサイズ決定及び成形される。ポペット支持板８１６は、上面８２０と、プラットフォーム８１４から外向きに延びる複数の支持特徴部８２４とを含む。隣接するが空間的に分離された２つの支持特徴部８２４間に流路８２６を定めることができる。キャップ８１２とプラットフォーム８１４間のポペットネック８１８の周りに密封部材１２０ｄを着座させることができる。
【０１３８】
底部ディスク９４０の第１の面９３７が露出され、下側バルブ本体１２８のスカート４０８と接続するのに利用可能であるように、上部ディスク９３８は、底部ディスク９４０よりも小さい直径を有することができる。
【０１３９】
底部ディスク９４０と逆目先端９２８の間に位置決めされた延長レッジ９６６は、ハンドル１００内の望ましい場所に一体的バルブ台座６３８を維持するのを助けることができる。延長レッジ９６６は、第１及び／又は第２のシェル１１４、１１６のレッジ１５０ａ、１５０ｂと接続するように成形されたリップ９６８を各々が有することができる複数の半径方向に延びるアーム９６７を含むことができる。
【０１４０】
一体的バルブ台座６３８は、逆目先端９２８から上部ディスク９３８の上部面９３２までの流れキャビティ９３０を定める。逆目先端９２８は、一体的バルブ台座６３８とホース１０８の間の接続を強める１又は２以上の把持構成要素９３６を含むことができる。
【０１４１】
ハンドル１００が組み立てられる時に、キャップ８１２と、ポペットアセンブリ６３６のポペットネック８１８の周りに位置決めされた密封部材１２０ｄとをシャトルバルブ１３４の台座キャビティ３４８内に受け入れることができる。ポペット支持板８１６の第１の面８２０は、シャトルバルブ１３４の台座３３４の底面３４６の下でそれに隣接するように、更に存在する場合はシャトル保持器１３０の第２の端部２９２の下でそれに隣接するように位置決めすることができる。
【０１４２】
一体的バルブ台座６３８のポペット支持板８１６及び上部ディスク９３８は、下側バルブ本体１２８のスカートキャビティ４１２内に受け入れられる。底部ディスク９４０の上部面９３７がスカート４０８の下に位置決めされた時に、外側スカート壁４１４を底部ディスク９４０の外面９４１と同一面にすることができるように、一体的バルブ台座６３８の底部ディスク９４０の外径は、下側バルブ本体１２８のスカート４０８の外径とほぼ同じとすることができる。一体的バルブ台座６３８の逆目先端９２８は、台座カラー１４０の逆目開口４４２内に受け入れることができる。
【０１４３】
旋回アセンブリ１４３を組み立てるために、一体的バルブ台座６３８の逆目先端４２８は、台座カラー１４０の逆目開口４４２内に受け入れられる。シェル１１４、１１６のレッジ１５０ａ、１５０ｂは、アーム９６７のリップ９６８がレッジ１５０ａ、１５０ｂ上に載るように底部ディスク８４０の下に位置決めすることができる。
【０１４４】
洗浄モード中に、流体は、ホース１０８から一体的バルブ台座６３８内の流れキャビティ９３０を通り、ポペット支持板８１６の支持特徴部８２４の間の流路８２６を通ってシャトル保持器１３０のキャビティ２９８（又は保持クリップ６３０を有する実施形態では下側バルブ本体１２８のスカートキャビティ４１２）内に、シャトルバルブ１３４の台座キャビティ３４８内に、更にシャトルバルブ１３４の流れ内腔３４２の中に流れる。
【０１４５】
一部の実施形態では、口腔剤チャンバは、ハンドルではなく先端に接続することができる。図２４Ａ〜図２４Ｃは、一体的チャンバ５６８を含む先端５５０の例を示している。これらの実施形態は、ユーザが口腔衛生剤を実質的にあらゆる口腔洗浄器と併用することを可能にする。
【０１４６】
一例では、先端５５０は、例えば螺合又はスナップ装着などを通じて互いに接続する上側部分５５２と下側部分５６４とを含むことができる。上側部分５５２は、先端出口５５４とスカート５６０の間に位置決めされた本体５５６を含むことができる。先端チャネル５５８ａは、上側部分５５２を通して定めることができ、かつ流体の通過を可能にすることができる。スカート５６０内には、下側部分５６４を受け入れるためのキャビティ５６２を定めることができ、キャビティ５６２は、下側部分５６４を固定するためのネジ山のような係合特徴部５７４ａを含むことができる。
【０１４７】
下側部分５６４は、先端入口５７２で終端するステム５７０に接続されたチャンバ本体５６６を含むことができる。チャンバ本体５６６をステム５７０の上方に位置決めすることは、多くの異なる設計又は方式の口腔洗浄器ハンドルの上端と容易に係合するように構成することを可能にするのを助ける。
【０１４８】
上側部分５５２の場合と同様に、先端入口５７２からチャンバ本体５６６にステム５７０を通して先端チャネル５５８ｂを定めることができる。
【０１４９】
チャンバ本体５６６は、チャンバ５６８を定めることができる。チャンバ５６８は、口腔衛生剤を受け入れるようにサイズ決定及び成形することができる。例えば、チャンバ５６８の直径は、チャネル５５８ａ、５５８ｂの直径よりも大きいとすることができる。口腔衛生剤が壁５８２に接着することを防止するのを助け、更に流体が薬剤の周りで流れることを可能にするのを助けるように、チャンバ５６８の内壁５８２上に１又は２以上のリブ５６９を形成することができる。
【０１５０】
チャンバ本体５６６の外壁５８４上には、ネジ山のような係合特徴部５７４ｂを形成することができる。係合特徴部５７４ａ、５７４ｂが上側部分５５２を下側部分５６４に接続することができ、更に固定するのを助けることができるように、係合特徴部５７４ｂは、上側部分５５２の係合特徴部５７４ａと相補的なものとすることができる。
【０１５１】
上側部分５５２が下側部分５６４に接続された時に、チャンバ５６８の上方の上側部分５５２内にスクリーン５７６、スクリーン支持体５７８、及び密封部材５８０のうちの１又は２以上を着座させることができる。スクリーン５７６は、チャンバ５６８内の薬剤からの大きい粒子が先端チャネル５５８ａ又は先端出口５５４を閉塞させるのを防止するのを助けることができる。
【０１５２】
密封部材５８０は、例えば、Ｏリング又はＵカップとすることができ、上側部分５５２と下側部分５６４の間に液密シールを提供するのを助けることができる。
【０１５３】
他の実施形態では、チャンバ５６８は、上側部分５５２と下側部分５６４の両方の中に定めることができる。
【０１５４】
図２６Ａ〜図３２は、口腔清浄ハンドルの別の実施形態６０１の様々な図を示している。ハンドル６０１は、ハンドル１００と実質的に同じとすることができ、ハンドル６０１に関して具体的に議論しないいずれの要素もハンドル１００内に組み込まれること又はそれと同じとすることができる。ハンドル６０１は、図１Ａ〜図５Ｃに図示の実施形態の同様の特徴部に各々が類似とすることができるハウジング６０５と、一時停止アセンブリ６０３と、ラッチアセンブリ６０７と、蓋６０９とを含むことができる。
【０１５５】
ハウジング６０５に関して、このハウジングは、異なる前部シェル又は第１のシェル６１１を含むことができる。図２６Ｃを参照すると、前部シェル６１１は、ラッチアセンブリ６０７の各部分を受け入れて収容するラッチ支持キャビティ６１６と、キャッチ２１２がハンドルハウジングに対して移動する時にキャッチ２１２を誘導するラッチガイド６１５とを含むことができる。特に、前部シェル６１１は、前部シェル６１１の上端の近くに定められてシェルの内部面から外向きに延びる上側リブ６１８を含むことができる。ラッチリブ６１７は、上側リブ６１８と平行に延び、１又は２以上の接続領域によって上側リブ６１８に接続することができ、この接続は、リブ６１７、６１８の剛性を高めるのを助ける。ラッチリブ６１７及び上側リブ６１８は、前部シェル６１１の幅のかなりの部分にわたって延びることができる。これに加えて、ラッチリブ６１７の下に下側リブ６１９ａ、６１９ｂを位置決めすることができ、下側リブは、シェル幅の一部分に沿って延びることができる。一実施形態では、下側リブ６１９ａ、６１９ｂは、ボタン開口１５２の隣接する側部に形成された２つのリブ６１９ａ、６１９ｂに分断することができる。ラッチリブ６１７は、ボタン開口１５２の幅にわたって延び、それに対して下側リブ６１９ａ、６１９ｂは、ボタン開口１５２の幅の中に部分的にしか延び込まない。このようにして、ボタン開口１５２は、前部シェル６１１の外側では完全な開口部を有するが、内面から形成されたリブによって部分的に塞がれる。組み立てられた時に、ラッチキャビティ６１６は、ラッチ本体が下側リブ６１９ａ、６１９ｂ上に着座し、ラッチリブ６１７がラッチ１８０、６２５の上部面にわたって延びるようにラッチ１８０、６２５を受け入れる。
【０１５６】
図２６Ｃの参照を続けると、ラッチガイド６１５は、ラッチリブ６１７及び任意的に上側リブ６１８によって形成される。ラッチガイド６１５は、蓋６０９の開閉中にラッチアセンブリのキャッチ２１２を誘導するように作用する。ラッチガイド６１５は、ラッチの移動に対する軌道又はガイドを定めるように作用するので、ユーザが蓋を開閉する時にキャッチ２１２が滑らかに移動することを可能にする。
【０１５７】
図２７を参照すると、ハンドル６０１は、図１３Ａ〜図１３Ｂに示すものと比較して異なる薬剤ハウジングを含むことができる。図２７の実施形態では、薬剤ハウジング６１７は、タブレット５９０を受け入れるためのチャンバ２２６と類似に構成された薬剤チャンバ６７３を定める。薬剤チャンバ６７３は、その底壁を通して定められたチャンバ入口６７５を通して流体を受け入れる。薬剤ハウジング６１７は、その外面上に定められた間隔形成溝６７７を含むことができる。間隔形成溝６７７は、ラッチの場所に位置合わせされてユーザが蓋を開閉する時にラッチアセンブリに対して追加の横移動空間を与える環状溝とすることができる。間隔形成溝６７７は、チャンバ６７３がタブレット５９０を受け入れるほど十分に大きい直径を有することを可能にし、同時にハンドル６０１の全体的な直径を増大させることなくラッチアセンブリの十分な移動を可能にする。
【０１５８】
ハンドル６０１のラッチアセンブリ６２１及び蓋６１９は、図１Ａ〜図２４Ｂのラッチアセンブリ及び蓋と比較して異なる特徴部を含むことができ、その各々を順に議論する。
【０１５９】
図２８〜図２９Ｂを参照すると、ラッチアセンブリ６２１は、ボタン１１０と、ラッチ６２５と、付勢要素又はバネ４５２とを含む。一部の実施形態では、ボタン１１０及びバネ４５２は、図８Ａ及び図８Ｂと同じとすることができる。しかし、ラッチ６２５は異なる場合がある。例えば、ラッチ６２５は、その第１の端部から外向きに延びる固定ヘッド６３５と、その反対側から延びるアーム６２７ａ、６２７ｂとを含むことができる。固定ヘッド６３５は、ボタン１１０を固定するように構成され、かつラッチ６２５をボタン開口１６４内に保持するのを助けるように作用する固定突起６３７のような固定要素を含むことができる。固定ヘッド６３５に対するボタン１１０の運動を制限し、ユーザの力が完全にラッチ６２５に伝達されることを保証するために、固定ヘッド６３５の各側壁上にボタンストップ６３９を形成することができる。ラッチ６２５の固定ヘッド６３５の上部面を通してキャッチ開口６３３を定めることができ、キャッチ開口６３３を定めるラッチ壁の第１の端部においてキャッチスライド６４１の面がラッチ６２５の上部面から底面に角度又は勾配が付いている。キャッチスライド６４１の勾配は、ラッチキャッチがラッチ６２５を通って延びる時にラッチキャッチを支援し、ラッチキャッチが過度に早く捕捉することを防止するように意味している。
【０１６０】
図２９Ｂを参照すると、キャッチ座部６４３が、ラッチ６２５の底面上に定められて底面から下向きに延びている。キャッチ座部６４３は、突起として形成され、かつキャッチに係合するように構成することができる。一実施形態では、キャッチスライド６４１は下に傾斜し、キャッチ座部６４３を一体的に形成する。ラッチ６２５は、様々な方式で形成することができるが、一例では、金属射出成形工程を通じて形成することができる。
【０１６１】
図２９Ａ及び図２９ｂを参照すると、ラッチアーム６２７ａ、６２７ｂは、互いの鏡像とすることができ、かつバネ４５２に係合してラッチ１８０に関して上述したようにラッチがユーザによって作動された時にこのバネを屈曲及び変形させる係合面として定めることができる係合端部６２９ａ、６２９ｂを含むことができる。
【０１６２】
図３０及び図３１を参照すると、蓋６０９は、蓋１１８と実質的に類似とすることができる。しかし、この例では、ラッチ６２５に係合するキャッチ６４９は、異なる形状を含むことができ、かつ任意的に、型打ち金属工程に対して金属射出成形によって形成することができる。キャッチ６４９は、蓋６０９に固定するか又はそれと一体的に形成することができる。一実施形態では、キャッチ６４９は、蓋６０９から下向きに延びてキャッチを内部に受け入れるキャッチハウジング６５５によって蓋６０９に固定される。キャッチ６４９は、キャッチハウジング６５５から下向きに延びてほぼ「フック」形状を有することができ、キャッチ６４９の底端６５１は、上向きに方向転換してキャッチ座部６５３を定める。キャッチ座部６５３は、実質的に平面であり、かつキャッチ６４９の延長の長さに対して垂直な面上に定めることができる。
【０１６３】
ホース旋回
使用中に、ユーザが口の異なる区域にアクセスするためにハンドル１００を異なる角度及び位置に移動する時に、ホース１０８は、ハンドル１００の望ましい向きを維持しながら絡み、曲げ、又は捻りのない状態に留まるためにハンドル１００に対して自由に回転することができる。特に、ユーザがハンドル１００を異なる向きに移動する時に、ホース１０８は、ハンドル１００がハウジング１０２内でハウジング１０２に対して回転する時にハンドル１００への接続部で回転することができる。例えば、バルブ台座１３８は、バルブ台座１３８の逆目先端４２８に接続されたホース１０８の回転が、バルブ台座１３８と、存在する場合にポペットアセンブリ１３６と、シャトルバルブ１３４と、保持リング１３２と、下側バルブ本体１２８とをハウジング１０２内でハウジング１０２に対して回転させるように、下側バルブ本体１２８のスカート４０８に超音波溶接することができる。一部の実施形態では、台座カラー１４０、バルブ台座１３８、シャトルバルブ１３４、保持リング１３２、及び下側バルブ本体１２８のうちの一部又は全ての材料は、導入される抗力が最小であるか又は全くないように低摩擦であるように選択される。
【０１６４】
結論
全ての方向の言及（例えば、上側、下側、上向き、下向き、左、右、左向き、右向き、上部、底部、上方、下方、垂直、水平、時計周り、及び反時計周り）は、読者による本発明の実施形態の理解を助けるための識別目的にのみ使用するものであり、特に本発明の位置、向き、又は使用に関して特許請求の範囲で具体的に示さない限り制限を生じることはない。接合の言及（例えば、取り付けられた、結合された、接続された、及び接合されたなど）は、広義に解釈しなければならず、要素の接続間の中間部材及び要素間の相対移動を含む場合がある。従って、接合の言及は、２つの要素が直接に接続されて互いに固定関係にあることを必ずしも示唆しない。
【０１６５】
以上の仕様、実施例、及びデータは、特許請求の範囲に定めるような本発明の例示的実施形態の構造及び使用の完全な説明を提供するものである。主張する本発明の様々な実施形態をある一定の程度の具体性によって又は１又は２以上の個々の実施形態を参照して上述したが、当業者は、主張する本発明の精神又は範囲から逸脱することなく開示した実施形態に多くの変更を加えることができるであろう。従って、他の実施形態が考えられる。以上の説明に含まれて添付図面に示す全ての内容は、限定ではなく特定の実施形態の単に例示として解釈すべきであることを意図している。以下の特許請求の範囲に定めるような本発明の基本要素から逸脱することなく、詳細又は構造に変更を加えることができる。
【図１Ａ】
2020509868.tif 000003
【図１Ｂ】
2020509868.tif 000004
【図２Ａ】
2020509868.tif 000005
【図２Ｂ】
2020509868.tif 000006
【図３】
2020509868.tif 000007
【図４Ａ】
2020509868.tif 000008
【図４Ｂ】
2020509868.tif 000009
【図４Ｃ】
2020509868.tif 000010
【図５Ａ】
2020509868.tif 000011
【図５Ｂ】
2020509868.tif 000012
【図５Ｃ】
2020509868.tif 000013
【図６Ａ】
2020509868.tif 000014
【図６Ｂ】
2020509868.tif 000015
【図７Ａ】
2020509868.tif 000016
【図７Ｂ】
2020509868.tif 000017
【図７Ｃ】
2020509868.tif 000018
【図８Ａ】
2020509868.tif 000019
【図８Ｂ】
2020509868.tif 000020
【図９】
2020509868.tif 000021
【図１０】
2020509868.tif 000022
【図１１】
2020509868.tif 000023
【図１２】
2020509868.tif 000024
【図１３Ａ】
2020509868.tif 000025
【図１３Ｂ】
2020509868.tif 000026
【図１３Ｃ】
2020509868.tif 000027
【図１４Ａ】
2020509868.tif 000028
【図１４Ｂ】
2020509868.tif 000029
【図１５】
2020509868.tif 000030
【図１６Ａ】
2020509868.tif 000031
【図１６Ｂ】
2020509868.tif 000032
【図１６Ｃ】
2020509868.tif 000033
【図１７Ａ】
2020509868.tif 000034
【図１７Ｂ】
2020509868.tif 000035
【図１８】
2020509868.tif 000036
【図１９】
2020509868.tif 000037
【図２０】
2020509868.tif 000038
【図２１】
2020509868.tif 000039
【図２２】
2020509868.tif 000040
【図２３Ａ】
2020509868.tif 000041
【図２３Ｂ】
2020509868.tif 000042
【図２４Ａ】
2020509868.tif 000043
【図２４Ｂ】
2020509868.tif 000044
【図２５Ａ】
2020509868.tif 000045
【図２５Ｂ】
2020509868.tif 000046
【図２５Ｃ】
2020509868.tif 000047
【図２６Ａ】
2020509868.tif 000048
【図２６Ｂ】
2020509868.tif 000049
【図２６Ｃ】
2020509868.tif 000050
【図２７】
2020509868.tif 000051
【図２８】
2020509868.tif 000052
【図２９Ａ】
2020509868.tif 000053
【図２９Ｂ】
2020509868.tif 000054
【図３０】
2020509868.tif 000055
【図３１】
2020509868.tif 000056
【図３２】
2020509868.tif 000057
【図３３】
2020509868.tif 000058
【国際調査報告】
2020509868.tif 000059
2020509868.tif 000060